(57)【特許請求の範囲】
【請求項１】
ワイヤレス通信のための方法であって、
無認可スペクトルにおけるワイヤレス信号送信を送信することと、
前記無認可スペクトルにおける前記ワイヤレス信号送信の特性を識別することと、
前記特性に基づいて、干渉信号が検出され得る少なくとも１つの干渉検出機会を識別することと、
前記干渉検出機会をモニタすることと、
前記モニタすることに応答して干渉信号の存在を決定することと、
前記決定に基づいて干渉を緩和することと
を備え、前記干渉検出機会は、特定の無線アクセス技法（ＲＡＴ）に関連付けられたワイヤレス信号送信の不在を有するものとして識別された時間または周波数を備える、方法。
【請求項２】
ワイヤレス通信のための方法であって、
無認可スペクトルにおけるワイヤレス信号送信を送信することと、
前記無認可スペクトルにおける前記ワイヤレス信号送信の特性を識別することと、
前記特性に基づいて、干渉信号が検出され得る少なくとも１つの干渉検出機会を識別することと、
前記干渉検出機会をモニタすることと、
前記モニタすることに応答して干渉信号の存在を決定することと、
前記決定に基づいて干渉を緩和することと
を備え、前記無認可スペクトルにおける送信をモニタすることは、
前記無認可スペクトルにおける１つまたは複数のキャリア周波数上で１つまたは複数の送信を受信することと、
前記受信されたキャリア周波数の各々上に変調された１つまたは複数の信号の２次周期性を決定することと
備える、方法。
【請求項３】
前記干渉検出機会は、無認可スペクトルにおけるロングタームエボリューション（ＬＴＥ）信号送信の不在を有するものとして識別された時間期間または周波数帯域のうちの１つまたは複数を備える、
請求項１または２に記載の方法。
【請求項４】
前記干渉検出機会は、無認可スペクトルにおけるＬＴＥ信号送信期間または周波数帯域に隣接するシグナリング期間または周波数帯域のうちの少なくとも１つを備える、
請求項１または２に記載の方法。
【請求項５】
前記干渉検出機会は、無認可スペクトルにおけるＬＴＥ信号送信中の１つまたは複数の予約されたヌルトーンを備え、前記予約されたヌルトーンは、無認可スペクトルにおけるＬＴＥ信号送信内の前記予約された空リソースブロック（ＲＢ）または前記無認可スペクトルにおける前記ＬＴＥ信号送信の周波数帯域のエッジにＲＢのうちの少なくとも１つを備える、
請求項１または２に記載の方法。
【請求項６】
エネルギー検出を拡張するために、前記周波数帯域の前記エッジに１つまたは複数のヌルＲＢを予約することと、
各キャリアの前記周波数帯域の前記エッジで前記１つまたは複数の予約されたヌルＲＢを送信することと
をさらに備える、請求項５に記載の方法。
【請求項７】
無線リソース制御（ＲＲＣ）シグナリング、システム情報ブロック（ＳＩＢ）シグナリング、メディアアクセス制御（ＭＡＣ）制御要素、または少なくとも１つのユーザ機器によって可読なダウンリンク許可のうちの１つまたは複数を通して１つまたは複数のヌルトーンまたはＲＢのロケーションをシグナリングすることをさらに備える、
請求項５に記載の方法。
【請求項８】
前記決定することは、
前記干渉検出機会中に受信された信号のエネルギーを計算することと、
前記計算されたエネルギーが雑音フロアしきい値よりも大きいとき、干渉信号が存在すると決定することと
を備える、請求項１または２に記載の方法。
【請求項９】
前記干渉検出機会は、無認可スペクトルにおけるＬＴＥ信号送信中の２つまたはそれ以上の予約されたヌルトーンを備え、前記受信された信号の前記エネルギーを計算することは、前記干渉検出機会中に受信された信号の平均エネルギーを計算することを備える、
請求項８に記載の方法。
【請求項１０】
前記ワイヤレス信号送信の前記特性は、無認可スペクトルにおけるＬＴＥ信号２次周期性と、干渉信号２次周期性とを備える、
請求項１または２に記載の方法。
【請求項１１】
前記ＬＴＥ信号２次周期性は、６６．７マイクロ秒であり、前記干渉信号２次周期性は、３．２マイクロ秒である、
請求項１０に記載の方法。
【請求項１２】
前記無認可スペクトルにおける送信をモニタすることは、
前記無認可スペクトルにおける１つまたは複数のキャリア周波数上で１つまたは複数の送信を受信することと、
前記受信されたキャリア周波数の各々上に変調された１つまたは複数の信号の２次周期性を決定することと
を備える、請求項１に記載の方法。
【請求項１３】
前記干渉信号の存在を決定することは、前記受信されたキャリア周波数の各々上に変調された前記１つまたは複数の信号の前記２次周期性に基づき、干渉信号送信および前記ワイヤレス信号送信の前記特性に基づく、
請求項２または１２に記載の方法。
【請求項１４】
前記干渉信号の存在を決定することは、前記受信されたキャリア周波数がＬＴＥ２次周期性と干渉信号２次周期性の両方を呈するかどうかを決定することを備える、または、前記干渉信号の前記存在を決定することは、前記受信されたキャリア周波数が無認可スペクトルにおけるＬＴＥ信号２次周期性とは異なる２次周期性を呈するかどうかを決定することを備える、
請求項２または１２に記載の方法。
【請求項１５】
請求項１乃至１４のうちのいずれか１項に記載の方法を実行するための手段を備える、ワイヤレス通信のための装置。
【請求項１６】
プロセッサによって実行されるとき、請求項１乃至１４のうちのいずれか１項に記載の方法を実行する命令を備えるコンピュータプログラム。
【発明の詳細な説明】
【相互参照】
【０００１】
[0001]本特許出願は、各々が本出願の譲受人に譲渡された、２０１４年８月２１日に出願された、「Detection of Bursty Wifi Interference in Lte/Lte-a Communications in an Unlicensed Spectrum」と題する、Ｙｅｒｒａｍａｌｌｉらによる米国特許出願第１４／４６５，５６０号、および２０１３年８月２３日に出願された、「Detection of Bursty Wifi Interference in LTE-U」と題する、Ｙｅｒｒａｍａｌｌｉらによる米国仮特許出願第６１／８６９，１５７号の優先権を主張する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]ワイヤレス通信ネットワークはいくつかのアクセスポイントを含み得る。セルラーネットワークのアクセスポイントは、ノードＢ（ＮＢ）または発展型ノードＢ（ｅＮＢ）など、いくつかの基地局を含み得る。ワイヤレスローカルエリアネットワーク（ＷＬＡＮ）のアクセスポイントは、ＷｉＦｉノードなど、いくつかのＷＬＡＮアクセスポイントを含み得る。各アクセスポイントは、いくつかのユーザ機器（ＵＥ）のための通信をサポートし得、同時に複数のＵＥとしばしば通信し得る。同様に、各ＵＥは、いくつかのアクセスポイントと通信し得、複数のアクセスポイントおよび／または異なるアクセス技術を採用するアクセスポイントと時々通信し得る。アクセスポイントは、ダウンリンクおよびアップリンクを介してＵＥと通信し得る。ダウンリンク（または順方向リンク）はアクセスポイントからＵＥへの通信リンクを指し、アップリンク（または逆方向リンク）はＵＥからアクセスポイントへの通信リンクを指す。
【０００４】
[0004]セルラーネットワークがより過密になるにつれて、事業者は、容量を増加させる方法を考え始めている。１つの手法は、セルラーネットワークのトラフィックおよび／またはシグナリングのいくつかをオフロードするためのＷＬＡＮの使用を含み得る。ＷＬＡＮ（またはＷｉＦｉネットワーク）は、認可スペクトルにおいて動作するセルラーネットワークとは異なり、ＷｉＦｉネットワークが概して無認可スペクトルにおいて動作するので魅力的である。しかしながら、無認可スペクトルへのアクセスは、無認可スペクトルにアクセスするための同じまたは異なる技法を使用する、同じまたは異なる事業者展開のアクセスポイントが、共存し、無認可スペクトルの有効使用を行うことができることを保証するために協調を必要とし得る。
【発明の概要】
【０００５】
[0005]説明する機能は、一般にワイヤレス通信のための１つまたは複数の改善されたシステム、方法、および／またはデバイスに関し、より詳細には、特定の周波数スペクトルにおける１つまたは複数の干渉信号の検出に関する。ワイヤレス通信デバイスにおいて受信されることが望まれる信号など、スペクトルにおける当該の信号について信号特性が識別され得る。特性に少なくとも部分的に基づいて、スペクトルにおける干渉信号がその間に検出され得る１つまたは複数の干渉検出機会（interference detection opportunity）が識別され得る。干渉検出機会は、たとえば、当該の信号が特定の周波数スペクトルにないことがある期間を含み得る。１つまたは複数の干渉信号の存在を決定するために、周波数スペクトルにおける送信が干渉検出機会中にモニタされ得る。
【０００６】
[0006]いくつかの態様では、特定の周波数スペクトルにおけるワイヤレス信号送信のための異なる伝送特性が、干渉信号および当該の信号について識別され得る。干渉信号は、たとえば、特定の周波数スペクトルを使用して通常送信される信号（たとえば、ＷｉＦｉ信号）であり得、当該の信号は、特定のワイヤレスデバイスによって送信および受信される信号（たとえば、無認可または共有スペクトルにおける１つまたは複数のＬＴＥ／ＬＴＥ−Ａ信号）であり得る。周波数スペクトルにおける１つまたは複数のキャリア周波数上で信号が受信され得、受信されたキャリア周波数の各々上に変調された１つまたは複数の信号の２次周期性（second order periodicity）が決定され得る。受信されたキャリア周波数の各々上に変調された１つまたは複数の信号の２次周期性に基づいて、ならびにワイヤレス信号送信および干渉信号送信の伝送特性に基づいて１つまたは複数の干渉信号の存在が検出され得る。たとえば、予想される干渉信号は、当該の信号の２次周期性とは異なる既知の２次周期性を有し得る。
【０００７】
[0007]例示的な例の第１のセットでは、ワイヤレス通信のための方法が提供される。本方法は、無認可スペクトルにおけるワイヤレス信号送信のための特性を識別することを概して含む。本方法は、特性に少なくとも部分的に基づいて、無認可スペクトルにおける干渉信号が検出され得る少なくとも１つの干渉検出機会を識別することをさらに含み得る。無認可スペクトルは干渉検出機会中の送信についてモニタされ得、本方法は、モニタすることに応答して干渉信号の存在を決定し得る。いくつかの例では、本方法は、干渉の決定に部分的に基づいて干渉を緩和することをさらに備え得る。
【０００８】
[0008]いくつかの例では、干渉検出機会は、たとえば、無認可または共有スペクトルにおけるロングタームエボリューション無認可（ＬＴＥ）信号送信の不在を有するものとして識別された時間期間または周波数帯域のうちの１つまたは複数を含み得る。干渉検出機会は、いくつかの例によれば、無認可または共有スペクトル送信期間におけるＬＴＥ／ＬＴＥ−Ａ信号に隣接するシグナリング期間、無認可または共有スペクトル信号送信周波数帯域におけるＬＴＥ／ＬＴＥ−Ａ信号に隣接する周波数帯域、および／または無認可スペクトルにおけるＬＴＥ信号送信中の予約されたヌルトーンのうちの１つまたは複数を含み得る。予約されたヌルトーンは、たとえば、ＬＴＥ信号送信内の予約された空リソースブロック（ＲＢ）、および／または無認可スペクトルにおけるＬＴＥ信号送信の周波数帯域のエッジに１つまたは複数のリソースブロックを含み得る。追加または代替として、本方法は、エネルギー検出を拡張するために、周波数帯域のエッジに１つまたは複数のヌルＲＢを予約することをさらに備え得る。各キャリアの周波数帯域の端部に１つまたは複数の予約されたヌルＲＢは、ＵＥまたは別の基地局にさらに送信され得る。いくつかの例では、ヌルトーンのロケーションは、無線リソース制御（ＲＲＣ）シグナリング、システム情報ブロック（ＳＩＢ）シグナリング、メディアアクセス制御（ＭＡＣ）制御要素、または少なくとも１つのユーザ機器によって可読なダウンリンク許可のうちの１つまたは複数を通してシグナリングされ得る。いくつかの例では、ヌルトーンのロケーションは動的にシグナリングされ得る。
【０００９】
[0009]いくつかの例では、決定することは、干渉検出機会中に受信された信号のエネルギーを計算することと、計算されたエネルギーが雑音フロアしきい値よりも大きいとき、干渉信号が存在すると決定することとを含み得る。干渉検出機会は、いくつかの例では、無認可スペクトルにおけるＬＴＥ信号送信中の２つまたはそれ以上の予約されたヌルトーンを含み得、受信された信号のエネルギーを計算することは、干渉検出機会中に受信された信号の平均エネルギーを計算することを含み得る。干渉信号は、たとえば、無認可スペクトルにおけるＷｉＦｉ信号を含み得る。
【００１０】
[0010]他の例では、ワイヤレス信号送信の特性は、無認可スペクトルにおけるＬＴＥ信号２次周期性と、干渉信号２次周期性とを備え得る。ＬＴＥ２次周期性は６６．７マイクロ秒であり得、干渉信号２次周期性は３．２マイクロ秒であり得る。いくつかの例では、無認可スペクトルにおける送信をモニタすることは、無認可スペクトルにおける１つまたは複数のキャリア周波数上で１つまたは複数の送信を受信することと、受信されたキャリア周波数の各々上に変調された１つまたは複数の信号の２次周期性を決定することとを備え得る。
【００１１】
[0011]いくつかの例では、干渉信号の存在を決定することは、受信されたキャリア周波数の各々上に変調された１つまたは複数の信号の２次周期性に基づき、ワイヤレス信号送信および干渉信号送信の伝送特性に基づき得る。他の例では、干渉信号の存在を決定することは、受信されたキャリア周波数が無認可スペクトルにおけるＬＴＥ信号２次周期性とは異なる２次周期性を呈するかどうかを決定することを備え得る。
【００１２】
[0012]例示的な例の第２のセットでは、ワイヤレス通信のための装置が提供される。本装置は、プロセッサと、プロセッサに結合されたとを概して含む。上記プロセッサは、無認可スペクトルにおけるワイヤレス信号送信のための特性を識別するように構成され得る。上記プロセッサは、特性に少なくとも部分的に基づいて、無認可スペクトルにおける干渉信号が検出され得る少なくとも１つの干渉検出機会を識別するようにさらに構成され得る。無認可スペクトルは干渉検出機会中の送信についてモニタされ得、本方法は、モニタすることに応答して干渉信号の存在を決定し得る。いくつかの例では、上記プロセッサは、干渉の決定に部分的に基づいて干渉を緩和するようにさらに構成され得る。いくつかの例では、本装置は、例示的な例の第１のセットに関して上記で説明したワイヤレス通信のための方法の１つまたは複数の態様を実装し得る。
【００１３】
[0013]例示的な例の第３のセットでは、ワイヤレス通信のための装置が提供される。本装置は、無認可スペクトルにおけるワイヤレス信号送信のための特性を識別するための手段を概して含む。本装置は、特性に少なくとも部分的に基づいて、無認可スペクトルにおける干渉信号が検出され得る少なくとも１つの干渉検出機会を識別するための手段をさらに含み得る。無認可スペクトルは干渉検出機会中の送信についてモニタされ得、本方法は、モニタすることに応答して干渉信号の存在を決定し得る。いくつかの例では、本装置は、干渉の決定に部分的に基づいて干渉を緩和することをさらに備え得る。いくつかの例では、本装置は、例示的な例の第１のセットに関して上記で説明したワイヤレス通信のための方法の１つまたは複数の態様を実装し得る。
【００１４】
[0014]例示的な例の第４のセットでは、非一時的コンピュータ可読媒体は、プロセッサによって実行可能な命令を記憶し得る。上記命令は、無認可スペクトルにおけるワイヤレス信号送信のための特性を識別するための命令と、特性に少なくとも部分的に基づいて、無認可スペクトルにおける干渉信号が検出され得る少なくとも１つの干渉検出機会を識別するための命令とを含み得る。上記命令は、干渉検出機会中の送信について無認可スペクトルをモニタするための命令と、モニタすることに応答して干渉信号の存在を決定するための命令とをさらに含み得る。いくつかの例では、上記命令は、干渉の決定に部分的に基づいて干渉を緩和するための命令をさらに含み得る。いくつかの例では、本コンピュータ可読媒体は、例示的な例の第１のセットに関して上記で説明したワイヤレス通信のための方法の１つまたは複数の態様を実装し得る。
【００１５】
[0015]説明する方法および装置の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【図面の簡単な説明】
【００１６】
[0016]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図１】ワイヤレス通信システムの図。
【図２】様々な実施形態による、ＬＴＥノードおよび１つまたは複数の異なるＷｉＦｉノードがある時間期間中に送信し得るワイヤレス通信システムの一例を示す図。
【図３】様々な実施形態による、特定の周波数スペクトルにおける無認可または共有スペクトル送信におけるＬＴＥ／ＬＴＥ−Ａ通信と比較されたＷｉＦｉ送信の一例を示す図。
【図４】様々な実施形態による、特定の周波数スペクトルにおける無認可または共有スペクトル送信におけるＬＴＥ／ＬＴＥ−Ａ通信と比較されたＷｉＦｉ送信の一例を示す図。
【図５】様々な実施形態による、重複チャネルを有するＷｉＦｉ送信の一例を示す図。
【図６】様々な実施形態による、無認可または共有スペクトルにおけるＬＴＥ／ＬＴＥ−Ａ信号送信内の予約された空リソースブロックの一例を示す図。
【図７Ａ】様々な実施形態による、ワイヤレス通信において使用するためのｅＮＢまたはＵＥなどのデバイスの例のブロック図。
【図７Ｂ】様々な実施形態による、ワイヤレス通信において使用するためのｅＮＢまたはＵＥなどのデバイスの例のブロック図。
【図８】様々な実施形態による、ｅＮＢアーキテクチャの一例を示すブロック図。
【図９】様々な実施形態による、ＵＥアーキテクチャの一例を示すブロック図。
【図１０】様々な実施形態による、多入力多出力（ＭＩＭＯ）通信システムの一例を示すブロック図。
【図１１】様々な実施形態による、エネルギー検出に基づく干渉信号検出のための方法の一例のフローチャート。
【図１２】様々な実施形態による、エネルギー検出に基づく干渉信号検出のための方法の一例のフローチャート。
【図１３】様々な実施形態による、異なる信号の信号特性に基づく干渉信号検出のための方法の一例のフローチャート。
【図１４】様々な実施形態による、異なる信号の信号特性に基づく干渉信号検出のための方法の一例のフローチャート。
【発明を実施するための形態】
【００１７】
[0029]無認可スペクトル（たとえば、ＷｉＦｉ通信のために一般に使用されるスペクトル）がセルラー通信（たとえば、ロングタームエボリューション（ＬＴＥ）通信）のために使用され得る方法、装置、システム、およびデバイスについて説明する。
【００１８】
[0030]セルラーネットワークからのオフローディングによるトラフィックの増加に伴って、無認可スペクトルへのアクセスが事業者にデータ伝送容量拡張のための機会を与え得る。しかしながら、そのような無認可スペクトルの使用は、無認可スペクトルにおける他のデバイスからの干渉信号を生じ得る。特定の周波数スペクトルにおける１つまたは複数の干渉信号の検出は、１つまたは複数の干渉消去技法または干渉抑圧技法が適用されることを可能にし得、これはシステム性能を改善し得る。そのような干渉信号の存在の検出は、いくつかの異なる技法を使用して様々な実施形態に従って達成され得る。
【００１９】
[0031]たとえば、ワイヤレス通信デバイスにおいて受信されることが望まれる信号など、スペクトルにおける当該の信号について信号特性が識別され得る。特性に少なくとも部分的に基づいて、スペクトルにおける干渉信号がその間に検出され得る１つまたは複数の干渉検出機会が識別され得る。干渉検出機会は、たとえば、当該の信号が特定の周波数スペクトルにないことがある期間を含み得る。１つまたは複数の干渉信号の存在を決定するために、周波数スペクトルにおける送信が干渉検出機会中にモニタされ得る。
【００２０】
[0032]いくつかの態様では、特定の周波数スペクトルにおけるワイヤレス信号送信のための異なる伝送特性が、干渉信号および当該の信号について識別され得る。干渉信号は、たとえば、特定の周波数スペクトルを使用して通常送信される信号（たとえば、ＷｉＦｉ信号）であり得、当該の信号は、特定のワイヤレスデバイスによって送信および受信される信号であり得る。それらの異なる信号は、異なる２次周期性など、固有の特性を有し得る。周波数スペクトルにおける１つまたは複数のキャリア周波数上で信号が受信され得、受信されたキャリア周波数の各々上に変調された１つまたは複数の信号の２次周期性が決定され得る。受信されたキャリア周波数の各々上に変調された１つまたは複数の信号の２次周期性に基づいて、ならびにワイヤレス信号送信および干渉信号送信の伝送特性に基づいて１つまたは複数の干渉信号の存在が検出され得る。たとえば、予想される干渉信号は、当該の信号の２次周期性とは異なる既知の２次周期性を有し得る。
【００２１】
[0033]本明細書で説明する技法はまた、ＣＤＭＡ、ＴＤＭＡ、ＦＤＭＡ、ＯＦＤＭＡ、ＳＣ−ＦＤＭＡ、および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術のために使用され得る。ただし、以下の説明では、例としてＬＴＥシステムについて説明し、以下の説明の大部分においてＬＴＥ用語が使用されるが、本技法はＬＴＥ適用例以外に適用可能である。
【００２２】
[0034]以下の説明は、例を与えるものであり、特許請求の範囲に記載された範囲、適用可能性、または構成を限定するものではない。本開示の趣旨および範囲から逸脱することなく、説明する要素の機能および構成において変更が行われ得る。様々な実施形態は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００２３】
[0035]最初に図１を参照すると、図は、ワイヤレス通信システム１００の一例を示している。システム１００は、複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５のうちのいくつかは、様々な実施形態ではコアネットワーク１３０またはいくつかのアクセスポイント１０５（たとえば、基地局またはｅＮＢ）の一部であり得る、基地局コントローラ（図示せず）の制御下でＵＥ１１５と通信し得る。アクセスポイント１０５のうちのいくつかは、バックホール１３２を通してコアネットワーク１３０と制御情報および／またはユーザデータを通信し得る。いくつかの実施形態では、アクセスポイント１０５のうちのいくつかは、ワイヤードまたはワイヤレス通信リンクであり得るバックホールリンク１３４上で互いに直接または間接的に通信し得る。システム１００は、複数のキャリア（異なる周波数の波形信号）上の動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２４】
[0036]アクセスポイント１０５は、１つまたは複数のアクセスポイントアンテナを介してＵＥ１１５とワイヤレス通信し得る。アクセスポイント１０５の各々は、通信カバレージをそれぞれのカバレージエリア１１０に与え得る。いくつかの実施形態では、アクセスポイント１０５は、基地局、基地トランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、ＷｉＦｉノード、または何らかの他の好適な用語で呼ばれることがある。アクセスポイントのためのカバレージエリア１１０は、カバレージエリアの一部分のみを構成するセクタ（図示せず）に分割され得る。システム１００は、異なるタイプのアクセスポイント１０５（たとえば、マクロ基地局、マイクロ基地局、および／またはピコ基地局）を含み得る。アクセスポイント１０５はまた、セルラーおよび／またはＷＬＡＮ無線アクセス技術など、異なる無線技術を利用し得る。アクセスポイント１０５は、同じまたは異なるアクセスネットワークまたは事業者展開に関連付けられ得る。同じまたは異なるタイプのアクセスポイント１０５のカバレージエリアを含み、同じまたは異なる無線技術を利用し、ならびに／あるいは同じまたは異なるアクセスネットワークに属する、異なるアクセスポイント１０５のカバレージエリアは重複し得る。
【００２５】
[0037]いくつかの実施形態では、システム１００は、１つまたは複数の動作モードまたは展開シナリオをサポートするＬＴＥ／ＬＴＥ−Ａ通信システム（またはネットワーク）を含み得、同期リスニング間隔および協調クリアチャネルアセスメント（ＣＣＡ）を有する複数のコンポーネントキャリアを採用し得る。他の実施形態では、システム１００は、無認可または共有スペクトルにおけるＬＴＥ／ＬＴＥ−Ａ通信とは異なる無認可スペクトルおよびアクセス技術、またはＬＴＥ／ＬＴＥ−Ａとは異なる認可スペクトルおよびアクセス技術を使用するワイヤレス通信をサポートし得る。ＬＴＥ／ＬＴＥ−Ａ通信システムでは、発展型ノードＢまたはｅＮＢという用語は、概して、アクセスポイント１０５を説明するために使用され得る。システム１００は、異なるタイプのｅＮＢがカバレージを様々な地理的領域に与える異種ＬＴＥ／ＬＴＥ−Ａネットワークであり得る。
【００２６】
[0038]たとえば、各ｅＮＢ１０５は、通信カバレージをマクロセル、ピコセル、フェムトセル、および／または他のタイプのセルに与え得る。ピコセル、フェムトセル、および／または他のタイプのセルなどのスモールセルは、低電力ノードまたはＬＰＮを含み得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルなどのスモールセルは、比較的より小さい地理的エリアをカバーし得、サービスに加入しているＵＥによるネットワークプロバイダとの無制限アクセスを可能にし得る。フェムトセルなどのスモールセルは、比較的小さい地理的エリア（たとえば、自宅）をもカバーし得、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスをも与え得る。マクロセルのためのｅＮＢはマクロｅＮＢと呼ばれることがあり、スモールセルのためのｅＮＢは、展開に応じて、ピコｅＮＢ、フェムトｅＮＢ、ホームｅＮＢなどと呼ばれることがあり、一般に、スモールセルｅＮＢと呼ばれることがある。ｅＮＢは、１つまたは複数（たとえば、２つ、３つ、４つなど）のセルをサポートし得る。
【００２７】
[0039]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホール１３２を介して（たとえば、コアネットワーク１３０を通して）直接または間接的に互いに通信し得る。ワイヤレス通信システム１００は同期動作または非同期動作をサポートし得る。同期動作の場合、ｅＮＢは同様のフレームタイミングおよび／またはゲーティングタイミングを有し得、異なるｅＮＢからの送信は時間的にほぼ整合され得る。非同期動作の場合、ｅＮＢは異なるフレームタイミングおよび／またはゲーティングタイミングを有し得、異なるｅＮＢからの伝送は時間的に整合されないことがある。
【００２８】
[0040]ＵＥ１１５は、ワイヤレス通信システム１００全体にわたって分散され得、各ＵＥ１１５は固定または移動であり得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などの装着可能なアイテム、ワイヤレスローカルループ（ＷＬＬ）局などであり得る。ＵＥ１１５は、マクロｅＮＢ、ピコｅＮＢ、フェムトｅＮＢ、中継器などと通信することが可能であり得る。ＵＥ１１５はまた、セルラーまたは他のＷＷＡＮアクセスネットワーク、あるいはＷＬＡＮアクセスネットワークなど、異なるアクセスネットワーク上で通信することが可能であり得る。
【００２９】
[0041]システム１００に示された通信リンク１２５は、（たとえば、ＵＥ１１５からｅＮＢ１０５への）アップリンク（ＵＬ）送信を搬送するためのアップリンク、および／または（たとえば、ｅＮＢ１０５からＵＥ１１５への）ダウンリンク（ＤＬ）送信を搬送するためのダウンリンクを含み得る。ＵＬ送信は逆方向リンク送信と呼ばれることもあり、ＤＬ送信は順方向リンク送信と呼ばれることもある。ダウンリンク送信は、認可スペクトル（たとえば、ＬＴＥ）、無認可スペクトル、または両方を使用して行われ得る。同様に、アップリンク送信は、認可スペクトル（たとえば、ＬＴＥ）、無認可スペクトル、または両方を使用して行われ得る。
【００３０】
[0042]システム１００のいくつかの実施形態では、認可スペクトルにおけるＬＴＥダウンリンク容量が無認可スペクトルにオフロードされ得るＳＤＬモードと、ＬＴＥダウンリンク容量とＬＴＥアップリンク容量の両方が認可スペクトルから無認可スペクトルにオフロードされ得るＣＡモードと、基地局（たとえば、ｅＮＢ）とＵＥとの間のＬＴＥダウンリンク通信およびＬＴＥアップリンク通信が無認可スペクトルにおいて行われ得るＳＡモードとを含む、無認可または共有スペクトルにおけるＬＴＥ／ＬＴＥ−Ａ通信のための様々な展開シナリオがサポートされ得る。ＯＦＤＭＡ通信信号は、無認可スペクトルおよび／または認可スペクトルにおけるＬＴＥダウンリンク送信のための通信リンク１２５において使用され得、ＳＣ−ＦＤＭＡ通信信号は、無認可スペクトルおよび／または認可スペクトルにおけるＬＴＥアップリンク送信のための通信リンク１２５において使用され得る。無認可スペクトルを使用する送信は、周波数帯域における１つまたは複数のキャリア周波数を使用して搬送され得る。周波数帯域は、たとえば、複数のキャリア周波数に分割され得、各キャリア周波数は同じ帯域幅または異なる帯域幅を有し得る。たとえば、各キャリア周波数は、５ＧＨｚ周波数帯域のうちの２０ＭＨｚを占有し得る。
【００３１】
[0043]多くの展開では、上述のように、無認可スペクトルを使用して送信することを求めるデバイスは、スペクトルがそのような送信において使用するのに利用可能であること、すなわち、スペクトルが１つまたは複数の他のデバイスによってすでに使用中ではないことを検証する必要があり得る。たとえば、無認可スペクトルの利用可能性を決定するためにＣＣＡが使用され得る。ＣＣＡの実行は、所望のスペクトルが、送信を開始することより前に特に占有されていないことを検査することを概して伴う。いくつかの実施形態では、ＣＣＡ機会は、複数のｅＮＢ１０５にわたって協調させられ、１０ｍｓごとになど、周期的リスニング間隔で行われ得る。ｅＮＢ１０５などの送信エンティティは、チャネルアクセスを望み、無認可スペクトルにおける特定のキャリア周波数が占有されているかどうかを決定するためにＣＣＡを実行し得る。無認可スペクトルにおける特定のキャリア周波数が占有されている場合、ｅＮＢ１０５は、関連するキャリア周波数上のチャネルアクセスを取得することを再び試みる前に次のＣＣＡ機会まで待機する。
【００３２】
[0044]成功裏にＣＣＡが実行された状況では、デバイスは、無認可スペクトルを使用して送信し得る。しかしながら、成功裏にＣＣＡがあったにもかかわらず、周期的干渉にまだ遭遇し得る。本明細書で説明する様々な実施形態によれば、無認可または共有スペクトルにおいて送信された各ＯＦＤＭシンボルについてそのような干渉の存在を検出するために、様々な技法が使用され得る。そのような干渉の検出は、ＵＥ１１５などの受信機が、存在し得る干渉の影響を緩和するために干渉消去技法を実行することを可能にし得る。無認可または共有スペクトル展開シナリオ、またはシステム１００などのシステムにおける動作モードにおける様々なＬＴＥ／ＬＴＥ−Ａ通信における干渉信号の検出、ならびに他の特徴（feature）および機能（function）に関する追加の詳細が、図２〜図１４に関して以下で与えられる。
【００３３】
[0045]次に図２を参照しながら、干渉が起こり得るワイヤレス通信システム２００の一例を示す図について説明する。システム２００は、図１を参照しながら説明したシステム１００の部分の一例であり得る。システム２００は、図１を参照しながら説明したアクセスポイント１０５の態様の例であり得るいくつかのｅＮＢ２０５を含む。ｅＮＢ２０５は、図１を参照しながら説明したＵＥ１１５の一例であり得るＵＥ２１５と通信し得る。図２の例では、マクロｅＮＢ２０５−ａは双方向リンク２２０を使用してＵＥ２１５と通信し得、スモールセルｅＮＢ２０５−ｂはダウンリンク２２５を使用してＵＥ２１５と通信し得る。各ｅＮＢ２０５は、対応するカバレージエリア２１０を有し得る。いくつかの実施形態によれば、様々な通信モードに従って、双方向リンク２２０は認可スペクトルを使用して送信され得、ダウンリンク２２５は無認可スペクトルを使用して送信され得る。
【００３４】
[0046]たとえば、ダウンリンク２２５は、無認可または共有スペクトルにおけるＬＴＥ／ＬＴＥ−Ａ通信の補足ダウンリンク（ＳＤＬ）モードでＵＥ２１５に送信され得る。ダウンリンク２２５はダウンリンク容量オフロードをｅＮＢ２０５−ａに与え得る。いくつかの実施形態では、ダウンリンク２２５は、（たとえば、１つのＵＥに宛てられた）ユニキャストサービスのために、または（たとえば、いくつかのＵＥに宛てられた）マルチキャストサービスのために使用され得る。このシナリオは、たとえば、認可スペクトルを使用し、トラフィックおよび／またはシグナリング輻輳の一部を軽減する必要があるサービスプロバイダ（たとえば、旧来のモバイルネットワーク事業者またはＭＮＯ）の場合に起こり得る。無認可または共有スペクトルにおけるＬＴＥ／ＬＴＥ−Ａ通信の他のモードとしては、キャリアアグリゲーション（ＣＡ）モードとスタンドアロン（ＳＡ）モードとがあり得る。ＣＡモードで動作するとき、ｅＮＢ２０５−ｂは、無認可スペクトルにおける双方向リンクを使用してＵＥ２１５にＯＦＤＭＡ通信信号を送信し得、双方向リンクを使用して同じＵＥ２１５からＳＣ−ＦＤＭＡ通信信号を受信し得る。ＳＡモードでは、ｅＮＢ２０５−ｂは、無認可スペクトルにおける周波数を使用して双方向リンクを使用してＵＥ２１５にＯＦＤＭＡ通信信号を送信し得、双方向リンクを使用して同じＵＥ２１５からＳＣ−ＦＤＭＡ通信信号を受信し得る。ＳＤＬモードと同様に、ＣＡモードおよびＳＡモードは、認可スペクトルを使用し、トラフィックおよび／またはシグナリング輻輳の一部を軽減する必要があるサービスプロバイダ（たとえば、ＭＮＯ）の場合など、様々な異なるシナリオにおいて利用され得る。
【００３５】
[0047]上述のように、無認可スペクトルにおける送信は、ＥＴＳＩ（ＥＮ３０１  ８９３）において指定されたリッスンビフォートーク（ＬＢＴ：Listen Before Talk）プロトコルに基づくＬＢＴプロトコルなど、競合ベースプロトコルを採用する必要があり得る。ＬＢＴプロトコルの適用を定義するゲーティング間隔を使用するとき、ゲーティング間隔は、送信デバイスがクリアチャネルアセスメント（ＣＣＡ）を実行する必要があるときのリスニング間隔を示し得る。ＣＣＡの結果は、無認可スペクトルのチャネルが利用可能であるのか使用中であるのかを送信デバイスに示す。チャネルが利用可能（たとえば、使用のために「クリア」）であることをＣＣＡが示すとき、ゲーティング間隔は、送信デバイスが、一般にあらかじめ定義された送信期間の間、チャネルを使用することを可能にし得る。チャネルが利用可能でない（たとえば、使用中または予約済みである）ことをＣＣＡが示すとき、ゲーティング間隔は、送信デバイスが送信期間中にチャネルを使用することを防ぎ得る。他の実施形態では、たとえば、衝突検出を用いたキャリアセンス多重アクセス（ＣＳＭＡ）プロトコルなど、異なる競合ベースプロトコルが使用され得る。
【００３６】
[0048]図２の例では、ＷｉＦｉノード２３５は、対応するカバレージエリア２４０を有し得、ＵＥ２１５にとって干渉信号であり得るＷｉＦｉ信号２４５を送信し得る。いくつかの状況では、ｅＮＢ２０５−ｂは無認可スペクトルへのアクセスのためのＣＣＡを成功裏に実行したが、ｅＮＢ２０５−ｂがダウンリンク信号２２５を送信している間、ＷｉＦｉノード２３５は干渉信号２４５を送信し得る。たとえば、ＷｉＦｉノード２３５は、ＣＣＡが完了された後、送信することを開始し得る。そのようなＷｉＦｉ干渉は、無認可または共有スペクトルにおけるＬＴＥ／ＬＴＥ−Ａ通信について転送エラー率（ＦＥＲ）を著しく劣化させ、不正確なチャネル品質インジケータ（ＣＱＩ）フィードバックによりスループットを低減し得る。本明細書で説明する様々な実施形態によれば、無認可または共有スペクトル上で送信された各ＯＦＤＭシンボルについてそのような干渉の存在を検出するために、様々な技法が使用され得る。さらに、この例ではＷｉＦｉノード２３５からの干渉について説明するが、そのような干渉は他のタイプの送信の結果であり得る。たとえば、近隣ｅＮＢ（図示せず）は、異なるアップリンクまたはダウンリンクサブフレームがそのような干渉を提示し得る、時分割複信（ＴＤＤ）通信を使用して、異なるＵＥと通信し得る。
【００３７】
[0049]そのような干渉の検出は、より正確なチャネル推定を与え得、チャネル状態情報（ＣＳＩ）フィードバックの精度を向上させ得る。たとえば、ＵＥは、チャネル推定を実行し、サブフレームの干渉のない部分を使用してプリコーディング行列インジケータ（ＰＭＩ）、ＣＱＩなどのいくつかのパラメータの推定値を生成し得る。いくつかの実施形態では、ＵＥ（または他の受信機）は、まず、干渉のないコードブロックが復号され得、次いで、チャネル推定値が、データ支援チャネル推定値を使用して改善され得る、非連続コードブロック復号を実行し得る。次いで、改善されたチャネル推定値は、新しいデータ支援チャネル推定値を使用して、干渉によって影響を及ぼされる基準信号（ＲＳ）シンボルのための干渉消去を向上させるために使用され得る。場合によっては、消去されたＲＳシンボルによって作成されたヌルトーンが、所与のＯＦＤＭシンボル中の干渉の存在の推定値を改良するために使用され得、チャネル推定パラメータはさらに改良され得る。
【００３８】
[0050]ＷｉＦｉ干渉の場合、存在する干渉のタイプは、送信されているＷｉＦｉ信号の特定のタイプに依存し得る。したがって、干渉信号のタイプの分類が、干渉緩和を支援するために使用され得る。たとえば、８０２．１１ｂおよび８０２．１１ｇは、ワイヤレス送信のための２．４ＧＨｚ周波数帯域を使用する。しかしながら、８０２．１１ａ／ｎ／ａｃは、たとえば、５ＧＨｚ周波数帯域を使用する。さらに、５ＧＨｚ周波数帯域は少なくとも２３個の重複しないチャネルを提供し得、２．４ＧＨｚ周波数帯域は重複するチャネルを有し得る。さらに、ＷｉＦｉ信号は、たとえば、２０ＭＨｚ、４０ＭＨｚ、８０ＭＨｚ、および１６０ＭＨｚなどの異なる帯域幅を有し得る。
【００３９】
[0051]干渉信号のそのような異なる潜在的特性は、存在し得る干渉のタイプの検出における課題を提示し得る。たとえば、ＷｉＦｉプリアンブルが確実に検出され得る場合、特定の信号の特性は干渉緩和目的のために決定され得る。しかしながら、多くの場合、そのような情報の信頼できる検出は可能でないことがあり、干渉信号検出のために他の技法が使用され得る。図３に、下側２０ＭＨｚ帯域３０５および上側２０ＭＨｚ帯域３１０の例３００を示す。下側２０ＭＨｚ帯域３０５は、サブキャリア−６４〜−１と番号を付けられたいくつかのサブキャリア３１５を含み得る。この例では、ＷｉＦｉアクティブ送信３２０が、この下側２０ＭＨｚ帯域３０５中に存在し得、サブキャリア−５８〜−２を占有し得る。上側２０ＭＨｚ帯域３１０では、サブキャリア３１５がサブキャリア０〜６３を含む。この例では、ＷｉＦｉアクティブ送信３３０がサブキャリア２〜５８を占有し得る。
【００４０】
[0052]いくつかの実施形態によれば、無認可または共有スペクトル送信におけるＬＴＥ／ＬＴＥ−Ａ通信が、上側２０ＭＨｚ周波数帯域３０５および下側２０ＭＨｚ周波数帯域３１０を使用して送信され得る。無認可または共有スペクトル送信におけるＬＴＥ／ＬＴＥ−Ａ通信は、１８ＭＨｚ＋１５ｋＨｚ  ＤＣキャリアであり得るＬＴＥ帯域幅３３５を有し得、それによって上側周波数帯域３０５と下側周波数帯域３１０の両方のためのＬＴＥ帯域幅３３５の各側の１ＭＨｚガードバンドを与える。したがって、下側周波数帯域３０５中に、ＬＴＥ帯域幅３４０の外側にＷｉＦｉアクティブ送信３２０が送信されるエリア３４０がある。同様に、上側周波数帯域３１０中に、ＬＴＥ帯域幅３３５の外側にＷｉＦｉアクティブ送信３４５が送信されるエリア３４５がある。
【００４１】
[0053]ＬＴＥ帯域幅３３５は、無認可または共有スペクトルにおけるＬＴＥ／ＬＴＥ−Ａ通信をサポートするｅＮＢおよび／またはＵＥによってデータフレームを送信するために使用され得る。そのようなｅＮＢの例は、それぞれ、図１および／または図２の基地局１０５および／または２０５であり得る。そのようなＵＥの例は、それぞれ、図１および／または図２のＵＥ１１５および／または２１５であり得る。様々な実施形態によれば、期間３４０および３４５は、特定のワイヤレス信号送信の特性に基づいて決定され得、期間３４０、３４５中の無認可または共有スペクトルにおけるＬＴＥ／ＬＴＥ−Ａ信号の不在に基づいて干渉検出機会として利用され得る。送信はこれらの期間３４０、３４５中にモニタされ得、干渉信号の存在は、そのようなモニタに基づいて決定され得る。そのようなＷｉＦｉ信号が存在する場合は、ＷｉＦｉ干渉が存在すると決定され得、そのようなＷｉＦｉ信号が存在しない場合は、干渉の不在があると決定され得る。いくつかの実施形態によれば、言及した周波数において受信された信号のエネルギーが測定され、雑音フロアと比較され得る。検出されたエネルギーが、雑音フロアを上回るしきい値よりも大きい場合、干渉が存在すると決定され得る。いくつかの実施形態によれば、そのようなしきい値は、固定フォルスアラームレートをもつ検出確率を向上させるように選択され得る。したがって、そのような干渉信号の存在は、信号に関連するプリアンブルが検出され、復号される必要なしに検出され得る。たとえば、図３に示されているようにヌルキャリアロケーションを有するＷｉＦｉ８０２．１１ｎ／ａｃ信号の存在を決定するために、図３に示されているような技法が使用され得る。他の信号のために、同様に、８０２．１１ａｃ８０ＭＨｚおよび１６０ＭＨｚ送信などのためのより広い帯域幅を有する信号のために、同様の技法が使用され得る。
【００４２】
[0054]上述のように、いくつかの実施形態では、いくつかの周波数のエネルギーが検出され、干渉信号の存在または不在を決定するために使用され得る。そのようなエネルギーベースのメトリックは、ＷｉＦｉ信号の周波数シグネチャのための仮定に基づいて、異なる周波数帯域についても計算され得る。たとえば、ＬＴＥ／ＬＴＥ−Ａタイプ信号とＷｉＦｉ信号の両方が存在する計算され得ると仮定して、無認可または共有スペクトルにおけるＬＴＥ／ＬＴＥ−Ａタイプ信号およびＷｉＦｉ信号のための重複周波数帯域の総エネルギーが計算され得る。同様に、ＬＴＥ／ＬＴＥ−Ａタイプ信号は無認可または共有スペクトルにないが、ＷｉＦｉ信号は存在すると仮定して、エネルギーが計算され得る。追加または代替として、ＬＴＥ／ＬＴＥ−Ａタイプ信号の両方が無認可または共有スペクトル中に存在し、ＷｉＦｉ信号が不在であると仮定して、エネルギーが計算され得る。そのような計算されたエネルギーメトリックは、干渉信号の存在または不在を識別するために、無認可スペクトルの異なる部分について使用され得る。
【００４３】
[0055]さらに、ＷｉＦｉ信号は、シグナリング帯域におけるそれらのロケーションに基づいて異なる周波数シグネチャを呈する。図３に示されているように、ＷｉＦｉアクティブ送信３２０は全４０ＭＨｚ周波数帯域の左側にあり（Ｌと示される）、ＷｉＦｉアクティブ送信３３０は周波数帯域の右側にある（Ｒと示される）。いくつかの実施形態では、周波数シグネチャは、全ＷｉＦｉ信号内の２０ＭＨｚ帯域のロケーションに基づいて３つのカテゴリーに分類され得る。４０ＭＨｚ送信の場合、Ｌ帯域は第１の周波数シグネチャを有し得、Ｒ帯域は第２の周波数シグネチャを有し得る。８０ＭＨｚ送信の場合、ＬＬ帯域は第１の周波数シグネチャを有し得、ＲＲ帯域は第２の周波数シグネチャを有し得、ＬＲまたはＲＬは第３の周波数シグネチャを有し得る。１６０ＭＨｚ送信の場合、ＬＬＬおよびＲＬＬは第１の周波数シグネチャを有し得、ＬＲＲおよびＲＲＲは第２の周波数シグネチャを有し得、ＬＬＲ、ＬＲＬ、ＲＬＲ、およびＲＲＬは第３の周波数シグネチャを有し得る。さらに、８０ＭＨｚ送信の場合、右および左周波数帯域、または左および右周波数帯域中にある送信は第３の周波数シグネチャを有し得る。周波数シグネチャは、受信された干渉信号のある部分において検出された場合、いくつかの実施形態では、特定の周波数シグネチャに関連する他の周波数中にも干渉が存在し得ると決定するために使用され得る。たとえば、ＬＬＬ周波数シグネチャが下側２０ＭＨｚ帯域において検出された場合、おそらく他の２つの関連する２０ＭＨｚ帯域中にＷｉＦｉ干渉が存在するであろうと決定され得る。
【００４４】
[0056]次に図４を参照すると、２０ＭＨｚ８０２．１１ａ信号の２０ＭＨｚ帯域４０５、および２０ＭＨｚ８０２．１１ｎ／ａｃ信号の２０ＭＨｚ帯域４１０の例４００の図。８０２．１１ａを使用するＷｉＦｉアクティブ送信は送信４２０および４３０を含んでいることがある。同様に、図３の場合と同様に、ＷｉＦｉ送信はいくつかのサブキャリア４１５上で送信され得る。図４の８０１．１１ａの例では、送信４２０はサブキャリア−２６〜−１を占有し得、送信４３０はサブキャリア１〜２６を占有し得る。サブキャリア４２５はＤＣサブキャリアであり得る。同様に、８０１．１１ｎ／ａｃ送信４３５および４４５は、それぞれ、ＤＣサブキャリアであり得るサブキャリア４４０の両側のサブキャリア−２８〜−１およびサブキャリア１〜２８を占有し得る。ＬＴＥ帯域幅４５０は、同様に上記で説明したように、１５ｋＨｚ  ＤＣキャリアとともに１８ＭＨｚ帯域幅を含み、それによって２０ＭＨｚ周波数帯域４０５および４１０のためのＬＴＥ帯域幅３３５の各側の１ＭＨｚガードバンドを与え得る。ＬＴＥ帯域幅４５０は、無認可または共有スペクトルにおけるＬＴＥ／ＬＴＥ−Ａ通信をサポートするｅＮＢおよび／またはＵＥによってデータフレームを送信するために使用され得る。そのようなｅＮＢの例は、それぞれ、図１および／または図２の基地局１０５および／または２０５であり得る。そのようなＵＥの例は、それぞれ、図１および／または図２のＵＥ１１５および／または２１５であり得る。
【００４５】
[0057]しかしながら、８０２．１１ａおよび８０２．１１ｎ／ａｃに関連する２０ＭＨｚ  ＷｉＦｉ信号はＬＴＥ送信４５０の周りのガードバンドに著しく延びないので、そのようなガードバンド周波数は、そのような信号の存在または不在を決定するために確実に使用されないことがある。さらに、図３および図４の例は、５ＧＨｚ  ＷｉＦｉ帯域におけるＷｉＦｉチャネルを使用して送信されるＷｉＦｉ信号に当てはまるであろう。２．４ＧＨｚ帯域において送信されるＷｉＦｉチャネルは重複ＷｉＦｉチャネルを有し、図５は、２．４ＧＨｚ  ＷｉＦｉ帯域の複数のチャネル５０５を示す図５００である。この図５００に示されているように、各チャネル５０５の中心周波数は５ＭＨｚ間隔を有し、したがって、２０ＭＨｚチャネルは重複する。したがって、２．４ＧＨｚ帯域上で送信された干渉ＷｉＦｉ信号からの干渉の検出は、無認可または共有スペクトル送信の特定の２０ＭＨｚ帯域内のＬＴＥ／ＬＴＥ−Ａ通信の周りのガードバンド中にあることもないこともある。
【００４６】
[0058]図４および図５に示されたような状況における干渉信号を検出するために、いくつかの実施形態によれば、干渉信号の存在または不在を示し得るヌルトーンがエネルギー検出のために使用され得る。たとえば、図６に関して、図１〜図２に関して上記で説明したワイヤレス通信システム１００および／または２００を含むワイヤレス通信システムにおいて使用され得るサブフレーム構造６００の例を図に示す。サブフレーム構造６００に関して説明する技法は、様々な実施形態において、図３〜図５に提示されたような干渉を検出するために使用され得る。この例では、サブフレーム構造６００は、１０個の等しいサイズのサブフレーム６００に分割され得るフレーム（１０ｍｓ）中に送信され得る。各サブフレーム６００は、２つの連続するタイムスロット、すなわち、スロット０とスロット１とを含み得る。ＯＦＤＭＡコンポーネントキャリアは、２つのタイムスロットを表すリソースグリッドとして示され得る。リソースグリッドは複数のリソースブロック６１０に分割され得る。
【００４７】
[0059]ＬＴＥ／ＬＴＥ−Ａでは、リソースブロックは、周波数領域中に（図６において０〜１１と番号付けられた）１２個の連続サブキャリアを含んでおり、各ＯＦＤＭシンボル中のノーマルサイクリックプレフィックスについて、時間領域中に７個の連続ＯＦＤＭシンボル、またはスロットごとに８４個のリソースブロック６１０を含んでいることがある。陰影を付けられ、６３０と示されたリソースブロックのいくつかは、ＣＳＩ  ＲＳなど、基準信号（ＲＳ）を含み得る。図６に示された以外に他のまたは追加のリソースブロックがそのようなＣＳＩ−ＲＳ情報を含み得ることに留意されたい。図６の図では、ＵＥ  ＲＳはまた、リソースブロック６２５などのリソースブロックを使用して送信され得る。ヌルトーン６１５を、無認可または共有スペクトルにおけるＬＴＥ／ＬＴＥ−Ａ信号が送信されないこの例において示し、以下でより詳細に説明する。図６の例では、サブフレーム６００の一部分についてＷｉＦｉ干渉６２０が存在し得る。
【００４８】
[0060]ＷｉＦｉ干渉の存在は、いくつかの実施形態によれば、干渉信号のためのヌルトーン６１５中の受信された周波数をモニタすることによって検出され得る。干渉信号が存在する場合、ＷｉＦｉ干渉などの干渉が存在すると決定され得、信号が存在しない場合、干渉の不在があると決定され得る。様々な実施形態によれば、複数のヌルトーン６１５が時間および周波数において広げられ得るか、または予約された空リソースブロック６１０が、干渉を検出するために使用され得る。いくつかの実施形態では、各ＯＦＤＭシンボル（７１μｓ）について、平均エネルギーが、すべての利用可能なヌルトーン６１５を使用して計算され、雑音フロアと比較され得る。検出されたエネルギーが、雑音フロアを上回るしきい値よりも大きい場合、干渉が存在すると決定され得る。いくつかの実施形態によれば、そのようなしきい値は、固定フォルスアラームレートをもつ検出確率を向上させるように選択され得る。したがって、そのような干渉信号の存在は、信号に関連するプリアンブルが検出され、復号される必要なしに検出され得る。図６に示された技法は、たとえば、２０、４０、８０、または１６０ＭＨｚ帯域幅を使用して送信されるＷｉＦｉ８０２．１１ａ／ｎ／ａｃ信号など、任意のタイプの干渉信号の存在を決定するために使用され得る。さらに、そのような技法は、５ＧＨｚ帯域と２．４ＧＨｚ帯域の両方の上で干渉信号を検出するために使用され得る。
【００４９】
[0061]上述のように、いくつかの実施形態では、そのようなエネルギーベースのメトリックは、ＷｉＦｉ信号の周波数シグネチャのための仮定に基づいて、異なる周波数帯域についても計算され得る。様々な実施形態によれば、無認可または共有スペクトルにおけるＬＴＥ／ＬＴＥ−Ａ信号の不在を有する、ヌルトーン６１５および／または予約されたリソースブロック６１０は、特定のワイヤレス信号送信の特性であり得、干渉検出機会として利用され得る。送信はこれらの干渉検出機会中にモニタされ得、干渉信号の存在は、そのようなモニタに基づいて決定され得る。たとえば、ＬＴＥ／ＬＴＥ−Ａ信号とＷｉＦｉ信号の両方が無認可または共有スペクトル中に存在すると仮定して、非ヌルトーンについての総エネルギーが計算され得る。同様に、ＬＴＥ／ＬＴＥ−Ａ信号は不在であるが、ＷｉＦｉ信号は無認可または共有スペクトル中に存在する計算され得ると仮定してエネルギーが計算され得、ＬＴＥ／ＬＴＥ−Ａ信号とＷｉＦｉ信号の両方が無認可または共有スペクトルにないと仮定してエネルギーが計算される。そのような計算されたエネルギーメトリックは、干渉信号の存在または不在を識別するために、異なるリソースブロック６１０について使用され得る。
【００５０】
[0062]いくつかの実施形態によれば、（１つまたは複数の）ヌルトーン６１５、または予約された空リソースブロック６１０の周波数密度およびロケーションが、異なる基準に従って選択され得る。周波数密度は、たとえば、１つ、２つ、または３つのリソースブロック中に１つのヌルトーンなど、可変であり得る。ヌルトーン６１５の数は、いくつかの実施形態では、システムのトラフィック負荷に応じて半静的に、または動的にのいずれかで変動し得る。さらに、いくつかの例によれば、図３に関して上記で説明したようなエネルギー検出を拡張するために、帯域エッジにいくつかの追加のリソースブロック６１０が予約され得る。各キャリアの周波数帯域のエッジに１つまたは複数の予約されたヌルリソースブロックは、ＵＥまたは別のｅＮＢに送信され得る。いくつかの実施形態では、いくつかのリソースブロック６１０は、システムにおける軽いトラフィック負荷により割り振られないことがあり、そのような割り振られないリソースブロック６１０も、干渉を検出するために使用され得る。たとえば、割り振られていないリソースブロック６１０のロケーションを示すために、制御チャネルシグナリングが使用され得る。
【００５１】
[0063]場合によっては、ヌルトーン６１５のロケーションは、一様でないことがあり、ＷｉＦｉ信号など、遭遇される可能性が最も高い干渉信号の特性に基づいて選択され得る。たとえば、ＷｉＦｉサブキャリア間隔は、無認可または共有スペクトルにおけるＬＴＥ／ＬＴＥ−Ａ通信のための１５ｋＨｚサブキャリア間隔に対して、３１２．５ｋＨｚである。したがって、ヌルトーン６１５は、ＷｉＦｉサブキャリアピークに一致するように変動し得るロケーションを有するように選択され得る。さらに、いくつかの実施形態では、ヌルトーン６１５の時間密度が変動し得る。図６の例では、あらゆるＯＦＤＭシンボル中に１つのヌルトーンが存在するが、他の実施形態は、各ＯＦＤＭシンボル中に異なる数のヌルトーン６１５を有し得る。各ＯＦＤＭシンボル中に少なくとも１つのヌルトーン６１５を有することは、ＷｉＦｉシンボル持続時間が４マイクロ秒であること、および無認可または共有スペクトルシンボル持続時間におけるＬＴＥ／ＬＴＥ−Ａ通信が７１マイクロ秒であることにより、拡張干渉検出を可能にし得る。したがって、ＷｉＦｉ干渉はＯＦＤＭシンボルの中央で終了し得、次のＯＦＤＭシンボルは干渉を経験しないことがある。
【００５２】
[0064]上述のように、時間的ロケーションおよび／またはヌルトーン６１５の周波数は、様々な実施形態に従って変動し得る。そのような場合、ヌルトーン６１５および／または予約されたリソースブロック６１０のロケーションのシグナリングはＵＥに与えられ得る。そのようなシグナリングは、ヌルトーン６１５または予約されたリソースブロック６１０のロケーションが、サブフレームごとに制御チャネルシグナリングを使用してシグナリングされ得る動的予約を含み得る。他の実施形態では、ヌルトーン６１５または予約されたリソースブロック６１０のロケーションをシグナリングするために、無線リソース制御（ＲＲＣ）シグナリングが使用され得る。そのようなシグナリングは、ＵＥに送信されるＲＲＣ接続セットアップ／再構成メッセージにおいて示され得る。他の実施形態では、システム情報ブロック（ＳＩＢ）において、ヌルトーン６１５および／または予約されたリソースブロック６１０のロケーションに関する情報を用いた半静的シグナリングが示され得る。ヌルトーン６１５のロケーションおよび／またはリソースブロック６１０のロケーションはまた、メディアアクセス制御（ＭＡＣ）制御要素、または共通探索空間におけるすべてのＵＥによって可読なダウンリンク許可を使用してシグナリングされ得る。さらに、図１の基地局１０５または図２のｅＮＢ２０５などの近隣ｅＮＢは、あるエリアをカバーするｅＮＢが、同じ時間および周波数ロケーションにおけるヌルトーン６１５および／または予約されたリソースブロック６１０を使用するように、ヌルトーン６１５および／または予約されたリソースブロック６１０を協調させ得る。ヌルトーン６１５および／または予約されたリソースブロック６１０のパターンおよび周波数は、たとえば、Ｘ２インターフェースを使用して近隣ｅＮＢ間で通信され得る。
【００５３】
[0065]いくつかの実施形態では、４０／８０／１６０ＭＨｚ帯域幅を有し得るＷｉＦｉ信号など、いくつかの広帯域干渉信号が２０ＭＨｚよりも広い帯域幅を有し得るという事実を活用するために、より大きい帯域幅をモニタするために、特定の２０ＭＨｚ帯域内の干渉検出が使用され得る。たとえば、図３または図６に関して説明したような技法は干渉信号の存在を検出し得る。上述のように、いくつかの干渉信号は、隣接する周波数帯域も干渉を有し得ることがそれから推論され得る周波数特性を有し得る。たとえば、干渉信号は、ＷｉＦｉ ４０ＭＨｚ上側帯域の周波数シグネチャを用いて検出され得、ＬＴＥ ２０ＭＨｚ帯域における干渉は、ＷｉＦｉ干渉をも有すると推論され得る。
【００５４】
[0066]受信された信号におけるエネルギーレベルの検出について図３〜図６に関して上記で説明したが、他の実施形態は干渉信号の識別のために異なる技法を使用し得る。一例では、受信された信号について２次周期性が決定され得、信号における特定の２次周期性の存在は干渉信号の存在を示し得る。そのような実施形態は、２次周期性とも呼ばれる周期定常性（cyclostationarity）をすべてが呈する、被変調信号の信号特性を利用し得る。ＷｉＦｉ信号は、たとえば、３．２マイクロ秒の２次周期性を有し、無認可または共有スペクトルにおけるＬＴＥ／ＬＴＥ−Ａ信号は６６．７マイクロ秒の２次周期性を有する。したがって、受信された信号についての２次周期性が決定され得、３．２マイクロ秒周期性をもつ２次周期信号が検出された場合、ＷｉＦｉ干渉信号の存在が決定され得る。たとえば、受信された信号についての２次周期性は、５００ナノ秒ごとに１回などのサンプリング頻度に従ってサンプリングされ得る。信号の２次周期性に関連するサンプル中にピークが検出された場合、そのような信号が存在すると決定され得る。したがって、０．５マイクロ秒ごとに１回サンプリングされる３．２マイクロ秒の２次周期性をもつＷｉＦｉ信号の例を使用して、ピークが６４番目のサンプルにおいて検出された場合、ＷｉＦｉ信号が存在すると決定され得る。いくつかの実施形態によれば、特定のサンプルロケーションにおいて検出されたピークの信頼性を向上させるために、いくつかの期間についてサンプリングが収集され得る。
【００５５】
[0067]いくつかの実施形態によれば、２次周期性を使用した干渉信号の検出は、そのような干渉信号が存在すると決定するための１つまたは複数のメトリックを使用し得る。いくつかの例では、干渉信号の存在または不在を決定するために、振幅２乗コヒーレンス（ＭＳＣ）メトリック（Ｃ）が使用され得る。ＭＳＣは、いくつかの実施形態では、以下の式に従って計算され得る。
【００５６】
【数１】
0006636424.tif 000002
【００５７】
ここにおいて、αは、２次周期性周波数（たとえば、ＷｉＦｉのための正規化周波数における１／８０）に対応する。ＭＳＣ値は０と１との間にあり、特定の信号が存在するかどうかを決定するためにしきい値が設定され得る。
【００５８】
[0068]そのような２次周期性技法は、ヌルトーン、またはタイミング、周波数同期および／またはシンボル境界の知識を必要とすることなしに干渉信号の存在を決定するために使用され得る。さらに、そのような技法は、信号のための特定の送信チャネルによって影響を及ぼされない。さらに、実施形態では、受信機は複数のアンテナを使用し得、ＭＳＣメトリックを改善するために、異なるアンテナからの追加の信号サンプルが使用され得る。２次周期性は、雑音だけが存在する場合、または雑音プラス干渉信号（たとえば、ＷｉＦｉ信号）が存在する場合、ネガティブ形状においてもうまく機能する。上述のように、場合によっては、ＭＳＣメトリックの信頼性を改善するために、比較的多数のサンプルが取られ得る。
【００５９】
[0069]次に図７Ａを参照すると、ブロック図７００は、様々な実施形態によるワイヤレス通信において使用するためのデバイス７０５を示す。いくつかの実施形態では、デバイス７０５は、図１および／または図２を参照しながら説明したｅＮＢ１０５および／または２０５および／またはＵＥ１１５および／または２１５の１つまたは複数の態様の一例であり得る。デバイス７０５はプロセッサでもあり得る。デバイス７０５は、受信機モジュール７１０、ＬＴＥ干渉検出モジュール７２０、および／または送信機モジュール７３０を含み得る。これらの構成要素の各々は互いに通信していることがある。
【００６０】
[0070]デバイス７０５の構成要素は、適用可能な機能の一部または全部をハードウェアで実行するように適応された１つまたは複数の特定用途向け集積回路（ＡＳＩＣ）を用いて、個々にまたはまとめて実装され得る。代替的に、それらの機能は、１つまたは複数の他の処理ユニット（またはコア）によって、１つまたは複数の集積回路上で実施され得る。他の実施形態では、当技術分野で既知の任意の様式でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６１】
[0071]いくつかの実施形態では、受信機モジュール７１０は、認可スペクトル（たとえば、ＬＴＥスペクトル）および／または無認可スペクトルにおける送信を受信するように動作可能なＲＦ受信機などの無線周波数（ＲＦ）受信機であるか、またはそれを含み得る。受信機モジュール７１０は、図１および／または図２を参照しながら説明したワイヤレス通信システム１００および／または２００の１つまたは複数の通信リンクなど、認可および無認可スペクトルを含むワイヤレス通信システムの１つまたは複数の通信リンク上で様々なタイプのデータおよび／または制御信号（すなわち、送信）を受信するために使用され得る。
【００６２】
[0072]いくつかの実施形態では、送信機モジュール７３０は、認可スペクトルおよび／または無認可スペクトルにおいて送信するように動作可能なＲＦ送信機などのＲＦ送信機であるか、またはそれを含み得る。送信機モジュール７３０は、図１および／または図２を参照しながら説明したワイヤレス通信システム１００および／または２００の１つまたは複数の通信リンクなど、ワイヤレス通信システムの１つまたは複数の通信リンク上で様々なタイプのデータおよび／または制御信号（すなわち、送信）を送信するために使用され得る。
【００６３】
[0073]いくつかの実施形態では、ＬＴＥ干渉検出モジュール７２０は、無認可スペクトル上でブロードキャストされる、干渉ＷｉＦｉ信号など、干渉信号の存在または不在を検出し得る。干渉検出は、上記で説明した技法のうちのいずれか１つまたは複数に従って実行され得る。いくつかの実施形態によれば、干渉検出は、受信された信号の信号特性に基づいて決定され得る干渉検出機会中に実行され得る。そのような信号特性は、たとえば、ブロードキャストスペクトルにおける干渉信号のロケーション、ＬＴＥ周波数帯域に隣接する周波数帯域における干渉信号の存在、ならびに／あるいはヌルトーンおよび／または予約されたリソースブロックのロケーションを含み得る。
【００６４】
[0074]次に図７Ｂを参照すると、ブロック図７５０は、様々な実施形態によるワイヤレス通信において使用するためのデバイス７５５を示す。いくつかの実施形態では、デバイス７０５は、図１および／または図２を参照しながら説明したｅＮＢ１０５、２０５および／またはＵＥ１１５、２１５の１つまたは複数の態様の一例であり得る。デバイス７０５はプロセッサでもあり得る。デバイス７５５は、受信機モジュール７１２、ＬＴＥ干渉検出モジュール７６０、および／または送信機モジュール７３２を含み得る。これらの構成要素の各々は互いに通信していることがある。
【００６５】
[0075]デバイス７５５の構成要素は、適用可能な機能の一部または全部をハードウェアで実行するように適応された１つまたは複数のＡＳＩＣを用いて、個々にまたはまとめて実装され得る。代替的に、それらの機能は、１つまたは複数の他の処理ユニット（またはコア）によって、１つまたは複数の集積回路上で実施され得る。他の実施形態では、当技術分野で既知の任意の様式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６６】
[0076]いくつかの実施形態では、受信機モジュール７１２は図７Ａの受信機モジュール７１０の一例であり得る。受信機モジュール７１２は、認可スペクトル（たとえば、ＬＴＥスペクトル）および／または無認可スペクトルにおける送信を受信するように動作可能なＲＦ受信機などの無線周波数（ＲＦ）受信機であるか、またはそれを含み得る。ＲＦ受信機は、認可スペクトルおよび無認可スペクトルのために別個の受信機を含み得る。別個の受信機は、場合によっては、認可スペクトルモジュール７１４および無認可スペクトルモジュール７１６の形態をとり得る。認可スペクトルモジュール７１４および無認可スペクトルモジュール７１６を含む受信機モジュール７１２は、図１および／または図２を参照しながら説明したワイヤレス通信システム１００および／または２００の１つまたは複数の通信リンクなど、認可および無認可スペクトルを含むワイヤレス通信システムの１つまたは複数の通信リンク上で様々なタイプのデータおよび／または制御信号（すなわち、送信）を受信するために使用され得る。
【００６７】
[0077]いくつかの実施形態では、送信機モジュール７３２は図７Ａの送信機モジュール７３０の一例であり得る。送信機モジュール７３２は、認可スペクトルおよび／または無認可スペクトルにおいて送信するように動作可能なＲＦ送信機などのＲＦ送信機であるか、またはそれを含み得る。ＲＦ送信機は、認可スペクトルおよび無認可スペクトルのために別個の送信機を含み得る。別個の送信機は、場合によっては、認可スペクトルモジュール７３４および無認可スペクトルモジュール７３６の形態をとり得る。送信機モジュール７３２は、図１および／または図２を参照しながら説明したワイヤレス通信システム１００および／または２００の１つまたは複数の通信リンクなど、ワイヤレス通信システムの１つまたは複数の通信リンク上で様々なタイプのデータおよび／または制御信号（すなわち、送信）を送信するために使用され得る。
【００６８】
[0078]ＬＴＥ干渉検出モジュール７６０は、図７Ａを参照しながら説明したＬＴＥ干渉検出モジュール７２０の一例であり得、ワイヤレス信号特性識別モジュール７７０、エネルギー検出モジュール７７５、および／または２次周期性検出モジュール７８０を含み得る。これらの構成要素の各々は互いに通信していることがある。
【００６９】
[0079]いくつかの実施形態では、ワイヤレス信号特性識別モジュール７７０は、受信された信号の信号特性に基づいて決定され得る干渉検出機会を識別し得る。そのような信号特性は、たとえば、ブロードキャストスペクトルにおける干渉信号のロケーション、ＬＴＥ周波数帯域に隣接する周波数帯域における干渉信号の存在、ならびに／あるいはヌルトーンおよび／または予約されたリソースブロックのロケーションを含み得る。受信された信号送信のエネルギーは、いくつかの実施形態では、エネルギー検出モジュール７７５によって決定され得る。干渉検出機会中の検出されたエネルギーは、ＷｉＦｉ信号など、干渉信号の存在または不在を決定するために、たとえば、雑音フロアしきい値と比較され得る。いくつかの実施形態では、２次周期性検出モジュール７８０は、受信された信号についての２次周期性を決定し、無認可または共有スペクトルにおける受信されたＬＴＥ／ＬＴＥ−Ａ信号の２次周期性とは異なる２次周期性の存在が、干渉信号の存在を決定するために使用され得る。たとえば、干渉ＷｉＦｉ信号の存在を決定するために使用され得る、ＷｉＦｉ信号に対応する２次周期性が検出され得る。
【００７０】
[0080]図８を参照すると、無認可または共有スペクトルにおけるＬＴＥ／ＬＴＥ−Ａ通信のために構成されたｅＮＢ８０５を示すブロック図８００が示されている。いくつかの実施形態では、ｅＮＢ８０５は、図１、図２、図７Ａおよび／または図７Ｂを参照しながら説明したｅＮＢまたはデバイス１０５、２０５、７０５、および／または７５５の１つまたは複数の態様の一例であり得る。ｅＮＢ８０５は、図１、図２、図３、図４、図５、図６、図７Ａ、および／または図７Ｂに関して説明した、無認可または共有スペクトルにおけるＬＴＥ／ＬＴＥ−Ａのためのスペクトル干渉検出特徴および機能のうちの少なくともいくつかを実装するように構成され得る。ｅＮＢ８０５は、プロセッサモジュール８１０、メモリモジュール８２０、（（１つまたは複数の）トランシーバモジュール８５５によって表される）少なくとも１つのトランシーバモジュール、（（１つまたは複数の）アンテナ８６０によって表される）少なくとも１つのアンテナ、および／またはｅＮＢ  ＬＴＥモジュール８７０を含み得る。ｅＮＢ８０５はまた、基地局通信モジュール８３０およびネットワーク通信モジュール８４０の一方または両方を含み得る。これらの構成要素の各々は、１つまたは複数のバス８３５を介して、直接的または間接的に互いに通信していることがある。
【００７１】
[0081]メモリモジュール８２０は、ランダムアクセスメモリ（ＲＡＭ）および／または読取り専用メモリ（ＲＯＭ）を含み得る。メモリモジュール８２０は、実行されたとき、無認可スペクトル上でのブロードキャスト信号送信および干渉信号検出の実行を含む、認可および／または無認可スペクトルにおけるＬＴＥベース通信を使用するための本明細書で説明する様々な機能をプロセッサモジュール８１０に実行させるように構成された命令を含んでいるコンピュータ可読、コンピュータ実行可能ソフトウェア（ＳＷ）コード８２５を記憶し得る。代替的に、ソフトウェアコード８２５は、プロセッサモジュール８１０によって直接的に実行可能でないが、たとえば、コンパイルされ、実行されたとき、本明細書で説明する機能のうちのいくつかをｅＮＢ８０５に実行させるように構成され得る。
【００７２】
[0082]プロセッサモジュール８１０は、インテリジェントハードウェアデバイス、たとえば、中央処理ユニット（ＣＰＵ）、マイクロコントローラ、ＡＳＩＣなどを含み得る。プロセッサモジュール８１０は、（１つまたは複数の）トランシーバモジュール８５５、基地局通信モジュール８３０、および／またはネットワーク通信モジュール８４０を通して受信された情報を処理し得る。プロセッサモジュール８１０はまた、（１つまたは複数の）アンテナ８６０を介した送信のために（１つまたは複数の）トランシーバモジュール８５５に送られるべき情報、１つまたは複数の他の基地局またはｅＮＢ８０５−ａおよび８０５−ｂへの送信のために基地局通信モジュール８３０に送られるべき情報、および／または図１を参照しながら説明したコアネットワーク１３０の態様の一例であり得る、コアネットワーク８４５への送信のためにネットワーク通信モジュール８４０に送られるべき情報を処理し得る。プロセッサモジュール８１０は、単独でまたはｅＮＢ  ＬＴＥモジュール８７０とともに、干渉信号の検出、および干渉検出を向上させるためにｅＮＢにわたって同期され得るヌルトーンまたは予約されたリソースブロックの同期を含む、認可および／または無認可スペクトルにおけるＬＴＥベース通信を使用することの様々な態様を扱い得る。
【００７３】
[0083]（１つまたは複数の）トランシーバモジュール８５５は、パケットを変調し、変調されたパケットを送信のために（１つまたは複数の）アンテナ８６０に与え、（１つまたは複数の）アンテナ８６０から受信されたパケットを復調するように構成されたモデムを含み得る。（１つまたは複数の）トランシーバモジュール８５５は、１つまたは複数の送信機モジュールおよび１つまたは複数の別個の受信機モジュールとして実装され得る。（１つまたは複数の）トランシーバモジュール８５５は、少なくとも１つの認可スペクトル（たとえば、ＬＴＥスペクトル）における通信、および少なくとも１つの無認可スペクトルにおける通信をサポートし得る。（１つまたは複数の）トランシーバモジュール８５５は、たとえば、図１および／または図２を参照しながら説明したＵＥまたはデバイス１１５および／または２１５のうちの１つまたは複数と、（１つまたは複数の）アンテナ８６０を介して双方向に通信するように構成され得る。ｅＮＢ８０５は、一般に、複数のアンテナ８６０（たとえば、アンテナアレイ）を含み得る。ｅＮＢ８０５は、ネットワーク通信モジュール８４０を通してコアネットワーク８４５と通信し得る。ｅＮＢ８０５は、基地局通信モジュール８３０を使用して、ｅＮＢ８０５−ａおよび８０５−ｂなど、他の基地局またはｅＮＢと通信し得る。
【００７４】
[0084]図８のアーキテクチャによれば、ｅＮＢ８０５は、通信管理モジュール８５０をさらに含み得る。通信管理モジュール８５０は、他の基地局、ｅＮＢ、および／またはデバイスとの通信を管理し得る。通信管理モジュール８５０は、１つまたは複数のバス８３５を介してｅＮＢ８０５の他の構成要素の一部または全部と通信していることがある。代替的に、通信管理モジュール８５０の機能は、（１つまたは複数の）トランシーバモジュール８５５の構成要素として、コンピュータプログラム製品として、および／またはプロセッサモジュール８１０の１つまたは複数のコントローラ要素として実装され得る。
【００７５】
[0085]ｅＮＢ  ＬＴＥモジュール８７０は、無認可または共有スペクトルにおけるｅＮＢ通信機能、または認可および／または無認可スペクトルにおけるＬＴＥベース通信における干渉検出に関係する図１、図２、図３、図４、図５、図６、図７Ａおよび／または図７Ｂを参照しながら説明した態様の一部または全部を実行および／または制御するように構成され得る。たとえば、ｅＮＢ  ＬＴＥモジュール８７０は、干渉検出、および予約されたヌルトーンまたはリソース要素の近隣ｅＮＢ８０５−ａおよび８０５−ｂとの協調をサポートするように構成され得る。ｅＮＢ  ＬＴＥモジュール８７０は、ＬＴＥ通信を扱うように構成されたＬＴＥモジュール８７５、ＬＴＥ通信およびＬＴＥ通信のためのＣＣＡを扱うように構成されたＬＴＥ無認可モジュール８８０、および／または無認可スペクトルにおけるＬＴＥ以外の通信を扱うように構成された無認可モジュール８８５を含み得る。ｅＮＢ  ＬＴＥモジュール８７０はまた、たとえば、図１、図２、図３、図４、図５、図６、図７Ａ、および／または図７Ｂを参照しながら説明したｅＮＢ  ＬＴＥ干渉検出および協調機能のいずれかを実行するように構成された干渉検出モジュール８８０を含み得る。干渉検出モジュール８８０は、図７Ａおよび／または図７Ｂを参照しながら説明した同様のモジュール（たとえば、モジュール７２０および／またはモジュール７６０）の一例であり得る。ｅＮＢ  ＬＴＥモジュール８７０またはそれの部分はプロセッサを含み得、および／またはｅＮＢ  ＬＴＥモジュール８７０の機能の一部または全部は、プロセッサモジュール８１０によって、および／またはプロセッサモジュール８１０に関して実行され得る。
【００７６】
[0086]図９を参照すると、ＬＴＥのために構成されたＵＥ９１５を示すブロック図９００が示されている。ＵＥ９１５は、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなどに含まれるかまたはそれらの一部であり得る。ＵＥ９１５は、モバイル動作を可能にするために、小型バッテリーなどの内蔵電源（図示せず）を有し得る。いくつかの実施形態では、ＵＥ９１５は、図１および／または図２を参照しながら説明したＵＥまたはデバイス１１５および／または２１５のうちの１つまたは複数の一例であり得る。ＵＥ９１５は、図１、図２、図７Ａ、図７Ｂ、および／または図８を参照しながら説明したｅＮＢまたはデバイス１０５、２０５、７０５、７５５、および／または８０５のうちの１つまたは複数と通信するように構成され得る。
【００７７】
[0087]ＵＥ９１５は、プロセッサモジュール９１０、メモリモジュール９２０、（（１つまたは複数の）トランシーバモジュール９７０によって表される）少なくとも１つのトランシーバモジュール、（（１つまたは複数の）アンテナ９８０によって表される）少なくとも１つのアンテナ、および／またはＵＥ  ＬＴＥモジュール９４０を含み得る。これらの構成要素の各々は、１つまたは複数のバス９３５を介して、直接的または間接的に互いに通信していることがある。
【００７８】
[0088]メモリモジュール９２０はＲＡＭおよび／またはＲＯＭを含み得る。メモリモジュール９２０は、実行されたとき、認可および／または無認可スペクトルにおけるＬＴＥベース通信を使用するための本明細書で説明する様々な機能をプロセッサモジュール９１０に実行させるように構成された命令を含んでいるコンピュータ可読、コンピュータ実行可能ソフトウェア（ＳＷ）コード９２５を記憶し得る。代替的に、ソフトウェアコード９２５は、プロセッサモジュール９１０によって直接的に実行可能でないが、（たとえば、コンパイルされ、実行されたとき）本明細書で説明するＵＥ機能のうちのいくつかをＵＥ９１５に実行させるように構成され得る。
【００７９】
[0089]プロセッサモジュール９１０は、インテリジェントハードウェアデバイス、たとえば、ＣＰＵ、マイクロコントローラ、ＡＳＩＣなどを含み得る。プロセッサモジュール９１０は、（１つまたは複数の）トランシーバモジュール９７０を通して受信された情報、および／または（１つまたは複数の）アンテナ９８０を介した送信のために（１つまたは複数の）トランシーバモジュール９７０に送られるべき情報を処理し得る。プロセッサモジュール９１０は、単独でまたはＵＥ  ＬＴＥモジュール９４０とともに、認可および／または無認可スペクトルにおけるＬＴＥベース通信を使用することの様々な態様を扱い得る。
【００８０】
[0090]（１つまたは複数の）トランシーバモジュール９７０は、ｅＮＢと双方向に通信するように構成され得る。（１つまたは複数の）トランシーバモジュール９７０は、１つまたは複数の送信機モジュールおよび１つまたは複数の別個の受信機モジュールとして実装され得る。（１つまたは複数の）トランシーバモジュール９７０は、少なくとも１つの認可スペクトル（たとえば、ＬＴＥスペクトル）における通信、および少なくとも１つの無認可スペクトルにおける通信をサポートし得る。（１つまたは複数の）トランシーバモジュール９７０は、パケットを変調し、変調されたパケットを送信のために（１つまたは複数の）アンテナ９８０に与え、（１つまたは複数の）アンテナ９８０から受信されたパケットを復調するように構成されたモデムを含み得る。ＵＥ９１５は単一のアンテナを含み得るが、ＵＥ９１５が複数のアンテナ９８０を含み得る実施形態があり得る。
【００８１】
[0091]図９のアーキテクチャによれば、ＵＥ９１５は通信管理モジュール９３０をさらに含み得る。通信管理モジュール９３０は、様々な基地局またはｅＮＢとの通信を管理し得る。通信管理モジュール９３０は、１つまたは複数のバス９３５上でＵＥ９１５の他の構成要素の一部または全部と通信しているＵＥ９１５の構成要素であり得る。代替的に、通信管理モジュール９３０の機能は、（１つまたは複数の）トランシーバモジュール９７０の構成要素として、コンピュータプログラム製品として、および／またはプロセッサモジュール９１０の１つまたは複数のコントローラ要素として実装され得る。
【００８２】
[0092]ＵＥ  ＬＴＥモジュール９４０は、無認可または共有スペクトルにおけるＵＥ機能、または認可および／または無認可スペクトルにおけるＬＴＥベース通信を使用することに関係する図１、図２、図３、図４、図５、図６、図７、および／または図８で説明した態様の一部または全部を実行および／または制御するように構成され得る。たとえば、ＵＥ  ＬＴＥモジュール９４０は、干渉信号検出をサポートするように構成され得る。ＵＥ  ＬＴＥモジュール９４０は、信号を受信し、干渉検出機会および／または受信された信号の２次周期性に基づいて１つまたは複数の干渉信号の存在を決定するように構成され得る。ＵＥ  ＬＴＥモジュール９４０は、ＬＴＥ通信を扱うように構成されたＬＴＥモジュール９４５、ＬＴＥ通信を扱うように構成されたＬＴＥ無認可モジュール９５０、および／または干渉検出モジュール９５５を含み得る。干渉検出モジュール９５５は、図７Ａおよび／または図７Ｂを参照しながら説明した同様のモジュール（たとえば、モジュール７２０および／またはモジュール７６０）の一例であり得、上記で説明した技法のうちの１つまたは複数に従って干渉信号の検出を協調させ得る。ＵＥ  ＬＴＥモジュール９４０またはそれの部分はプロセッサを含み得、および／またはＵＥ  ＬＴＥモジュール９４０の機能の一部または全部は、プロセッサモジュール９１０によって、および／またはプロセッサモジュール９１０に関して実行され得る。
【００８３】
[0093]次に図１０を参照すると、ｅＮＢ１００５およびＵＥ１０１５を含む多入力多出力（ＭＩＭＯ）通信システム１０００のブロック図が示されている。ｅＮＢ１００５およびＵＥ１０１５は、認可および／または無認可スペクトルを使用してＬＴＥベース通信をサポートし得る。ｅＮＢ１００５は、図１、図２、図７Ａ、図７Ｂ、および／または図８を参照しながら説明したｅＮＢまたはデバイス１０５、２０５、７０５、７５５、および／または８０５の１つまたは複数の態様の一例であり得、ＵＥ１０１５は、図１、図２、図７Ａ、図７Ｂ、および／または図９を参照しながら説明したＵＥまたはデバイス１１５、２１５、７０５、７５５、および／または９１５の１つまたは複数の態様の一例であり得る。システム１０００は、図１および／または図２を参照しながら説明したワイヤレス通信システム１００および／または２００の態様を示し得、図２、図３、図４、図５および／または図６を参照しながら説明したような様々な異なる技法のうちの１つまたは複数に従って干渉信号検出を実行し得る。
【００８４】
[0094]ｅＮＢ１００５はアンテナ１０３４−ａ〜１０３４−ｘを装備し得、ＵＥ１０１５はアンテナ１０５２−ａ〜１０５２−ｎを装備し得る。システム１０００では、ｅＮＢ１００５は、同時に複数の通信リンク上でデータを送ることが可能であり得る。各通信リンクは「レイヤ」と呼ばれることがあり、通信リンクの「ランク」は、通信のために使用されるレイヤの数を示し得る。たとえば、ｅＮＢ１００５が２つの「レイヤ」を送信する２×２ＭＩＭＯシステムでは、ｅＮＢ１００５とＵＥ１０１５との間の通信リンクのランクは２であり得る。
【００８５】
[0095]ｅＮＢ１００５において、送信（Ｔｘ）プロセッサ１０２０がデータソースからデータを受信し得る。送信プロセッサ１０２０はデータを処理し得る。送信プロセッサ１０２０はまた、基準シンボルおよび／またはセル固有基準信号を生成し得る。送信（Ｔｘ）ＭＩＭＯプロセッサ１０３０は、適用可能な場合、データシンボル、制御シンボル、および／または基準シンボルに対して空間処理（たとえば、プリコーディング）を実行し得、出力シンボルストリームを送信（Ｔｘ）変調器／復調器１０３２−ａ〜１０３２−ｘに与え得る。各変調器／復調器１０３２は、出力サンプルストリームを取得するために、（たとえば、ＯＦＤＭなどのために）それぞれの出力シンボルストリームを処理し得る。各変調器／復調器１０３２は、ダウンリンク（ＤＬ）信号を取得するために、出力サンプルストリームをさらに処理（たとえば、アナログに変換、増幅、フィルタ処理、およびアップコンバート）し得る。一例では、変調器／復調器１０３２−ａ〜１０３２−ｘからのＤＬ信号は、それぞれ、アンテナ１０３４−ａ〜１０３４−ｘを介して送信され得る。
【００８６】
[0096]ＵＥ１０１５において、アンテナ１０５２−ａ〜１０５２−ｎは、ｅＮＢ１００５からのＤＬ信号を受信し得、受信された信号をそれぞれ受信（Ｒｘ）変調器／復調器１０５４−ａ〜１０５４−ｎに与え得る。各変調器／復調器１０５４は、入力サンプルを取得するために、それぞれの受信された信号を調整（たとえば、フィルタ処理、増幅、ダウンコンバート、およびデジタル化）し得る。各変調器／復調器１０５４は、受信シンボルを取得するために、（たとえば、ＯＦＤＭなどのために）入力サンプルをさらに処理し得る。ＭＩＭＯ検出器１０５６は、すべての変調器／復調器１０５４−ａ〜１０５４−ｎから受信シンボルを取得し、適用可能な場合は受信されたシンボルに対してＭＩＭＯ検出を実行し、検出されたシンボルを与え得る。受信（Ｒｘ）プロセッサ１０５８は、検出されたシンボルを処理（たとえば、復調、デインターリーブ、および復号）し、ＵＥ１０１５のための復号されたデータをデータ出力に与え、復号された制御情報をプロセッサ１０８０またはメモリ１０８２に与え得る。プロセッサ１０８０は、認可および／または無認可スペクトルにおけるＬＴＥベース通信を使用することに関係する様々な機能を実行し得るモジュールまたは機能１０８１を含み得る。たとえば、モジュールまたは機能１０４１は、図７Ａまたは図７Ｂを参照しながら説明したＬＴＥ干渉検出モジュール７２０または７６０の、および／または図９を参照しながら説明したＵＥ  ＬＴＥモジュール９４０の機能の一部または全部を実行し得る。
【００８７】
[0097]アップリンク（ＵＬ）上で、ＵＥ１０１５において、送信（Ｔｘ）プロセッサ１０６４は、データソースからのデータを受信し、処理し得る。送信プロセッサ１０６４はまた、基準信号のための基準シンボルを生成し得る。送信プロセッサ１０６４からのシンボルは、適用可能な場合は送信（Ｔｘ）ＭＩＭＯプロセッサ１０６６によってプリコーディングされ、（たとえば、ＳＣ−ＦＤＭＡなどのために）送信（Ｔｘ）変調器／復調器１０５４−ａ〜１０５４−ｎによってさらに処理され、ｅＮＢ１００５から受信された送信パラメータに従ってｅＮＢ１００５に送信され得る。ｅＮＢ１００５において、ＵＥ１０１５からのＵＬ信号は、アンテナ１０３４によって受信され、受信機（Ｒｘ）変調器／復調器１０３２によって処理され、適用可能な場合はＭＩＭＯ検出器１０３６によって検出され、受信（Ｒｘ）プロセッサ１０３８によってさらに処理され得る。受信プロセッサ１０３８は、復号データをデータ出力に、およびプロセッサ１０４０に与え得る。プロセッサ１０４０は、認可および／または無認可スペクトルにおけるＬＴＥベース通信を使用することに関係する様々な態様を実行し得るモジュールまたは機能１０４１を含み得る。たとえば、モジュールまたは機能１０４１は、図７Ａまたは図７Ｂを参照しながら説明したＬＴＥ干渉検出モジュール７２０または７６０の、または図８を参照しながら説明したｅＮＢ  ＬＴＥモジュール８７０の機能の一部または全部を実行し得る。いくつかの実施形態では、モジュールまたは機能１０４１は、ｅＮＢのセットにわたってヌルトーンおよび／または予約されたリソースブロックを協調させるために使用され得る。
【００８８】
[0098]ｅＮＢ１００５の構成要素は、適用可能な機能の一部または全部をハードウェアで実行するように適応された１つまたは複数のＡＳＩＣを用いて、個々にまたはまとめて実装され得る。言及したモジュールの各々は、システム１０００の動作に関係する１つまたは複数の機能を実行するための手段であり得る。同様に、ＵＥ１０１５の構成要素は、適用可能な機能の一部または全部をハードウェアで実行するように適応された１つまたは複数のＡＳＩＣを用いて、個々にまたはまとめて実装され得る。言及した構成要素の各々は、システム１０００の動作に関係する１つまたは複数の機能を実行するための手段であり得る。
【００８９】
[0099]図１１は、ワイヤレス通信のための方法１１００の一例を示すフローチャートである。方法１１００は、図１、図２、図７Ａ、図７Ｂ、図９、および／または図１０を参照しながら説明したＵＥまたはデバイス１１５、２１５、７０５、７５５、９１５および／または１０１５によって実行され得る。いくつかの実施形態では、方法１１００は、図１、図２、図７Ａ、図７Ｂ、図８、および／または図１０を参照しながら説明したｅＮＢまたはデバイス１０５、２０５、７０５、７５５、８０５および／または１００５によって実行され得る。一実施形態では、ＵＥまたはｅＮＢは、以下で説明する機能を実行するために、ＵＥの機能要素を制御するためのコードの１つまたは複数のセットを実行し得る。
【００９０】
[0100]ブロック１１０５において、無認可スペクトルにおけるワイヤレス信号送信のための特性を識別する。たとえば、そのような特性は、たとえば、ブロードキャストスペクトルにおける干渉信号のロケーション、ＬＴＥ周波数帯域に隣接する干渉信号の存在、ＬＴＥ周波数帯域に隣接する周波数帯域における干渉信号の存在、ならびに／あるいはヌルトーンおよび／または予約されたリソースブロックのロケーションを含み得る。ブロック１１０５における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【００９１】
[0101]ブロック１１１０において、無認可スペクトルにおける干渉信号が検出され得る、特性に少なくとも部分的に基づいて、少なくとも１つの干渉検出機会を識別する。ブロック１１１０における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【００９２】
[0102]ブロック１１１５において、干渉検出機会中に無認可スペクトルにおける送信をモニタする。ブロック１１１５における（１つまたは複数の）動作は、場合によっては、図７Ａを参照しながら説明したＬＴＥ干渉検出モジュール７２０および／または受信機モジュール７１０、図７Ｂを参照しながら説明した干渉検出モジュール７６０、および／または受信機モジュール７１２、図８を参照しながら説明した干渉検出モジュール８８０、トランシーバモジュール８５５、および／またはアンテナ８６０、図９を参照しながら説明した干渉検出モジュール９５５、トランシーバモジュール９７０、および／またはアンテナ９８０、図１０を参照しながら説明したモジュールまたは機能１０８１、Ｒｘプロセッサ１０５８、ＭＩＭＯ検出器１０５６、Ｒｘ復調器１０５４−ａ〜１０５４−ｎ、および／またはアンテナ１０５２−ａ〜１０５２−ｎ、ならびに／あるいは図１０を参照しながら説明したモジュールまたは機能１０４１、Ｒｘプロセッサ１０３８、ＭＩＭＯ検出器１０３６、Ｒｘ復調器１０３４−ａ〜１０３４−ｎ、および／またはアンテナ１０３４−ａ〜１０３４−ｎを使用して実行され得る。
【００９３】
[0103]ブロック１１２０において、モニタに応答して干渉信号の存在を決定する。ブロック１１２０における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【００９４】
[0104]したがって、方法１１００は、干渉信号が検出され得るワイヤレス通信を与え得る。方法１１００は一実装形態にすぎないこと、および方法１１００の動作は、他の実装形態が可能であるように、並べ替えられるかまたは場合によっては変更され得ることに留意されたい。
【００９５】
[0105]図１２は、ワイヤレス通信のための方法１２００の一例を示すフローチャートである。方法１２００は、図１、図２、図７Ａ、図７Ｂ、図９、および／または図１０を参照しながら説明したＵＥまたはデバイス１２５、２１５、７０５、７５５、９１５および／または１０１５によって実行され得る。いくつかの実施形態では、方法１２００は、図１、図２、図７Ａ、図７Ｂ、図８、および／または図１０を参照しながら説明したｅＮＢまたはデバイス１０５、２０５、７０５、７５５、８０５および／または１００５によって実行され得る。一実施形態では、ＵＥまたはｅＮＢは、以下で説明する機能を実行するために、ＵＥの機能要素を制御するためのコードの１つまたは複数のセットを実行し得る。
【００９６】
[0106]ブロック１２０５において、無認可スペクトルにおけるワイヤレス信号送信のための特性を識別する。たとえば、そのような特性は、たとえば、ブロードキャストスペクトルにおける干渉信号のロケーション、ＬＴＥ周波数帯域に隣接する干渉信号の存在、ＬＴＥ周波数帯域に隣接する周波数帯域における干渉信号の存在、ならびに／あるいはヌルトーンおよび／または予約されたリソースブロックのロケーションを含み得る。ブロック１２０５における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【００９７】
[0107]ブロック１２１０において、無認可スペクトルにおける干渉信号が検出され得る、特性に少なくとも部分的に基づいて、少なくとも１つの干渉検出機会を識別する。ブロック１２１０における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【００９８】
[0108]ブロック１２１５において、干渉検出機会中に無認可スペクトルにおける送信をモニタする。ブロック１２１５における（１つまたは複数の）動作は、場合によっては、図７Ａを参照しながら説明したＬＴＥ干渉検出モジュール７２０および／または受信機モジュール７１０、図７Ｂを参照しながら説明した干渉検出モジュール７６０、および／または受信機モジュール７１２、図８を参照しながら説明した干渉検出モジュール８８０、トランシーバモジュール８５５、および／またはアンテナ８６０、図９を参照しながら説明した干渉検出モジュール９５５、トランシーバモジュール９７０、および／またはアンテナ９８０、図１０を参照しながら説明したモジュールまたは機能１０８１、Ｒｘプロセッサ１０５８、ＭＩＭＯ検出器１０５６、Ｒｘ復調器１０５４−ａ〜１０５４−ｎ、および／またはアンテナ１０５２−ａ〜１０５２−ｎ、ならびに／あるいは図１０を参照しながら説明したモジュールまたは機能１０４１、Ｒｘプロセッサ１０３８、ＭＩＭＯ検出器１０３６、Ｒｘ復調器１０３４−ａ〜１０３４−ｎ、および／またはアンテナ１０３４−ａ〜１０３４−ｎを使用して実行され得る。
【００９９】
[0109]ブロック１２２０において、干渉検出機会中に受信された受信信号のエネルギーを計算する。ブロック１２２０における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【０１００】
[0110]ブロック１２２５において、計算されたエネルギーが雑音フロアしきい値よりも大きいとき、干渉信号が存在すると決定する。ブロック１２２５における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【０１０１】
[0111]したがって、方法１２００は、干渉信号が検出され得るワイヤレス通信を与え得る。方法１２００は一実装形態にすぎないこと、および方法１２００の動作は、他の実装形態が可能であるように、並べ替えられるかまたは場合によっては変更され得ることに留意されたい。
【０１０２】
[0112]図１３は、ワイヤレス通信のための方法１３００の一例を示すフローチャートである。方法１３００は、図１、図２、図７Ａ、図７Ｂ、図９、および／または図１０を参照しながら説明したＵＥまたはデバイス１３５、２１５、７０５、７５５、９１５および／または１０１５によって実行され得る。いくつかの実施形態では、方法１３００は、図１、図２、図７Ａ、図７Ｂ、図８、および／または図１０を参照しながら説明したｅＮＢまたはデバイス１０５、２０５、７０５、７５５、８０５および／または１００５によって実行され得る。一実施形態では、ＵＥまたはｅＮＢは、以下で説明する機能を実行するために、ＵＥの機能要素を制御するためのコードの１つまたは複数のセットを実行し得る。
【０１０３】
[0113]ブロック１３０５において、無認可スペクトルにおけるワイヤレス信号送信のための特性を識別する。そのような特性は、たとえば、無認可または共有スペクトルにおけるＬＴＥ／ＬＴＥ−Ａ信号についての２次周期性を含み得る。ブロック１３０５における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【０１０４】
[0114]ブロック１３１０において、無認可スペクトルにおける少なくとも１つの干渉信号送信のための伝送特性を識別する。そのような特性は、たとえば、ＷｉＦｉ信号などの干渉信号についての２次周期性を含み得る。ブロック１３１０における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【０１０５】
[0115]ブロック１３１５において、無認可スペクトルにおける１つまたは複数のキャリア周波数上で１つまたは複数の送信を受信する。ブロック１３１５における（１つまたは複数の）動作は、場合によっては、図７Ａを参照しながら説明したＬＴＥ干渉検出モジュール７２０および／または受信機モジュール７１０、図７Ｂを参照しながら説明した干渉検出モジュール７６０、および／または受信機モジュール７１２、図８を参照しながら説明した干渉検出モジュール８８０、トランシーバモジュール８５５、および／またはアンテナ８６０、図９を参照しながら説明した干渉検出モジュール９５５、トランシーバモジュール９７０、および／またはアンテナ９８０、図１０を参照しながら説明したモジュールまたは機能１０８１、Ｒｘプロセッサ１０５８、ＭＩＭＯ検出器１０５６、Ｒｘ復調器１０５４−ａ〜１０５４−ｎ、および／またはアンテナ１０５２−ａ〜１０５２−ｎ、ならびに／あるいは図１０を参照しながら説明したモジュールまたは機能１０４１、Ｒｘプロセッサ１０３８、ＭＩＭＯ検出器１０３６、Ｒｘ復調器１０３４−ａ〜１０３４−ｎ、および／またはアンテナ１０３４−ａ〜１０３４−ｎを使用して実行され得る。
【０１０６】
[0116]ブロック１３２０において、受信されたキャリア周波数の各々上に変調された１つまたは複数の信号の２次周期性を決定する。ブロック１３２０における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【０１０７】
[0117]ブロック１３２５において、受信されたキャリア周波数の各々上に変調された１つまたは複数の信号の２次周期性に基づいて、ならびにワイヤレス信号送信および干渉信号送信の伝送特性に基づいて１つまたは複数の干渉信号の存在を決定する。ブロック１３２５における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【０１０８】
[0118]したがって、方法１３００は、干渉信号が検出され得るワイヤレス通信を与え得る。方法１３００は一実装形態にすぎないこと、および方法１３００の動作は、他の実装形態が可能であるように、並べ替えられるかまたは場合によっては変更され得ることに留意されたい。
【０１０９】
[0119]図１４は、ワイヤレス通信のための方法１４００の一例を示すフローチャートである。方法１４００は、図１、図２、図７Ａ、図７Ｂ、図９、および／または図１０を参照しながら説明したＵＥまたはデバイス１４５、２１５、７０５、７５５、９１５および／または１０１５によって実行され得る。いくつかの実施形態では、方法１４００は、図１、図２、図７Ａ、図７Ｂ、図８、および／または図１０を参照しながら説明したｅＮＢまたはデバイス１０５、２０５、７０５、７５５、８０５および／または１００５によって実行され得る。一実施形態では、ＵＥまたはｅＮＢは、以下で説明する機能を実行するために、ＵＥの機能要素を制御するためのコードの１つまたは複数のセットを実行し得る。
【０１１０】
[0120]ブロック１４０５において、無認可スペクトルにおけるワイヤレス信号送信のための特性を識別する。そのような特性は、たとえば、無認可または共有スペクトルにおけるＬＴＥ／ＬＴＥ−Ａ信号についての２次周期性を含み得る。ブロック１４０５における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【０１１１】
[0121]ブロック１４１０において、無認可スペクトルにおける少なくとも１つの干渉信号送信のための伝送特性を識別する。そのような特性は、たとえば、ＷｉＦｉ信号などの干渉信号についての２次周期性を含み得る。ブロック１４１０における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【０１１２】
[0122]ブロック１４１５において、無認可スペクトルにおける１つまたは複数のキャリア周波数上で１つまたは複数の送信を受信する。ブロック１４１５における（１つまたは複数の）動作は、場合によっては、図７Ａを参照しながら説明したＬＴＥ干渉検出モジュール７２０および／または受信機モジュール７１０、図７Ｂを参照しながら説明した干渉検出モジュール７６０、および／または受信機モジュール７１２、図８を参照しながら説明した干渉検出モジュール８８０、トランシーバモジュール８５５、および／またはアンテナ８６０、図９を参照しながら説明した干渉検出モジュール９５５、トランシーバモジュール９７０、および／またはアンテナ９８０、図１０を参照しながら説明したモジュールまたは機能１０８１、Ｒｘプロセッサ１０５８、ＭＩＭＯ検出器１０５６、Ｒｘ復調器１０５４−ａ〜１０５４−ｎ、および／またはアンテナ１０５２−ａ〜１０５２−ｎ、ならびに／あるいは図１０を参照しながら説明したモジュールまたは機能１０４１、Ｒｘプロセッサ１０３８、ＭＩＭＯ検出器１０３６、Ｒｘ復調器１０３４−ａ〜１０３４−ｎ、および／またはアンテナ１０３４−ａ〜１０３４−ｎを使用して実行され得る。
【０１１３】
[0123]ブロック１４２０において、たとえば、受信された送信の２次周期性の１つまたは複数のサンプルに基づいて、受信されたサンプルに基づく振幅２乗コヒーレンス（ＭＳＣ）を計算する。ブロック１４２０における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【０１１４】
[0124]ブロック１４２５において、１つまたは複数の干渉信号の存在を決定するために、ＭＳＣを所定のしきい値と比較する。ブロック１４２５における（１つまたは複数の）動作は、場合によっては、図７Ａを参照しながら説明したＬＴＥ干渉検出モジュール７２０、図７Ｂを参照しながら説明した干渉検出モジュール７６０、図８を参照しながら説明した干渉検出モジュール８８０、図９を参照しながら説明した干渉検出モジュール９５５、および／あるいは図１０を参照しながら説明したモジュールまたは機能１０８１または１０４１を使用して実行され得る。
【０１１５】
[0125]したがって、方法１４００は、干渉信号が検出され得るワイヤレス通信を与え得る。方法１４００は一実装形態にすぎないこと、および方法１４００の動作は、他の実装形態が可能であるように、並べ替えられるかまたは場合によっては変更され得ることに留意されたい。
【０１１６】
[0126]添付の図面に関して上記に記載した詳細な説明は、例示的な実施形態について説明しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、周知の構造およびデバイスがブロック図の形式で示されている。
【０１１７】
[0127]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１８】
[0128]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。プロセッサは、場合によっては、メモリと電子通信していることがあり、メモリは、プロセッサによって実行可能な命令を記憶する。
【０１１９】
[0129]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内にある。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１２０】
[0130]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１２１】
[0131]本開示の前述の説明は、当業者が本開示を実施または使用することができるように与えたものである。本開示への様々な変更は当業者には容易に明らかであり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明した例および設計に限定されるべきでなく、本明細書で開示した原理および新規の特徴に一致する最も広い範囲を与えられるべきである。
以下に、本願の出願当初の特許請求の範囲に記載された発明を付記する。
［Ｃ１］
ワイヤレス通信のための方法であって、
無認可スペクトルにおけるワイヤレス信号送信のための特性を識別することと、
前記特性に少なくとも部分的に基づいて、前記無認可スペクトルにおける干渉信号が検出され得る少なくとも１つの干渉検出機会を識別することと、
前記干渉検出機会中に前記無認可スペクトルにおける送信をモニタすることと、
前記モニタすることに応答して干渉信号の存在を決定することと、
前記決定に基づいて干渉を緩和することと
を備える、方法。
［Ｃ２］
前記干渉検出機会は、無認可スペクトルにおけるロングタームエボリューション（ＬＴＥ）信号送信の不在を有するものとして識別された時間期間または周波数帯域のうちの１つまたは複数を備える、
Ｃ１に記載の方法。
［Ｃ３］
前記干渉検出機会は、無認可スペクトルにおけるＬＴＥ信号送信期間または周波数帯域に隣接するシグナリング期間または周波数帯域のうちの少なくとも１つを備える、
Ｃ１に記載の方法。
［Ｃ４］
前記干渉検出機会は、無認可スペクトルにおけるＬＴＥ信号送信中の１つまたは複数の予約されたヌルトーンを備え、前記予約されたヌルトーンは、無認可スペクトルにおけるＬＴＥ信号送信内の前記予約された空リソースブロック（ＲＢ）または前記無認可スペクトルにおける前記ＬＴＥ信号送信の周波数帯域のエッジにＲＢのうちの少なくとも１つを備える、
Ｃ１に記載の方法。
［Ｃ５］
エネルギー検出を拡張するために、前記周波数帯域の前記エッジに１つまたは複数のヌルＲＢを予約することと、
各キャリアの前記周波数帯域の前記エッジで前記１つまたは複数の予約されたヌルＲＢを送信することとをさらに備える、Ｃ４に記載の方法。
［Ｃ６］
無線リソース制御（ＲＲＣ）シグナリング、システム情報ブロック（ＳＩＢ）シグナリング、メディアアクセス制御（ＭＡＣ）制御要素、または少なくとも１つのユーザ機器によって可読なダウンリンク許可のうちの１つまたは複数を通して１つまたは複数のヌルトーンまたはＲＢのロケーションをシグナリングすることをさらに備える、
Ｃ４に記載の方法。
［Ｃ７］
前記決定することは、
前記干渉検出機会中に受信された信号のエネルギーを計算することと、
前記計算されたエネルギーが雑音フロアしきい値よりも大きいとき、干渉信号が存在すると決定することと
を備える、Ｃ１に記載の方法。
［Ｃ８］
前記干渉検出機会は、無認可スペクトルにおけるＬＴＥ信号送信中の２つまたはそれ以上の予約されたヌルトーンを備え、前記受信された信号の前記エネルギーを計算することは、前記干渉検出機会中に受信された信号の平均エネルギーを計算することを備える、
Ｃ７に記載の方法。
［Ｃ９］
前記ワイヤレス信号送信の前記特性は、無認可スペクトルにおけるＬＴＥ信号２次周期性と、干渉信号２次周期性とを備える、
Ｃ１に記載の方法。
［Ｃ１０］
前記ＬＴＥ２次周期性は、６６．７マイクロ秒であり、前記干渉信号２次周期性は、３．２マイクロ秒である、
Ｃ９に記載の方法。
［Ｃ１１］
前記無認可スペクトルにおける送信をモニタすることは、
前記無認可スペクトルにおける１つまたは複数のキャリア周波数上で１つまたは複数の送信を受信することと、
前記受信されたキャリア周波数の各々上に変調された１つまたは複数の信号の２次周期性を決定することと
を備える、Ｃ１に記載の方法。
［Ｃ１２］
前記干渉信号の存在を決定することは、前記受信されたキャリア周波数の各々上に変調された前記１つまたは複数の信号の前記２次周期性に基づき、前記ワイヤレス信号送信および干渉信号送信の前記伝送特性に基づく、
Ｃ１１に記載の方法。
［Ｃ１３］
前記干渉信号の存在を決定することは、前記受信されたキャリア周波数がＬＴＥ２次周期性と干渉信号２次周期性の両方を呈するかどうかを決定することを備える、
Ｃ１１に記載の方法。
［Ｃ１４］
前記干渉信号の前記存在を決定することは、前記受信されたキャリア周波数が無認可スペクトルにおけるＬＴＥ信号２次周期性とは異なる２次周期性を呈するかどうかを決定することを備える、
Ｃ１１に記載の方法。
［Ｃ１５］
プロセッサと、
前記プロセッサに結合されたメモリと
を備え、前記プロセッサは、
無認可スペクトルにおけるワイヤレス信号送信のための特性を識別することと、
前記特性に少なくとも部分的に基づいて、前記無認可スペクトルにおける干渉信号が検出され得る少なくとも１つの干渉検出機会を識別することと、
前記干渉検出機会中に前記無認可スペクトルにおける送信をモニタすることと、
前記モニタすることに応答して干渉信号の存在を決定することと
を行うように構成された、ワイヤレス通信のための装置。
［Ｃ１６］
前記干渉検出機会は、無認可スペクトルにおけるロングタームエボリューション（ＬＴＥ）信号送信の不在を有するものとして識別された時間期間または周波数帯域のうちの１つまたは複数を備える、
Ｃ１５に記載の装置。
［Ｃ１７］
前記干渉検出機会は、無認可スペクトルにおけるＬＴＥ信号送信期間または周波数帯域に隣接するシグナリング期間または周波数帯域のうちの少なくとも１つを備える、
Ｃ１５に記載の装置。
［Ｃ１８］
前記干渉検出機会は、無認可スペクトルにおけるＬＴＥ信号送信中の１つまたは複数の予約されたヌルトーンを備え、前記予約されたヌルトーンは、無認可スペクトルにおけるＬＴＥ信号送信内の前記予約された空リソースブロック（ＲＢ）または前記無認可スペクトルにおける前記ＬＴＥ信号送信の周波数帯域のエッジにＲＢのうちの少なくとも１つを備える、
Ｃ１５に記載の装置。
［Ｃ１９］
前記プロセッサは、
エネルギー検出を拡張するために、前記周波数帯域の前記エッジに１つまたは複数のヌルＲＢを予約することと、
各キャリアの前記周波数帯域の前記エッジで前記１つまたは複数の予約されたヌルＲＢを送信することとを行うようにさらに構成された、Ｃ１８に記載の装置。
［Ｃ２０］
前記プロセッサは、無線リソース制御（ＲＲＣ）シグナリング、システム情報ブロック（ＳＩＢ）シグナリング、メディアアクセス制御（ＭＡＣ）制御要素、または少なくとも１つのユーザ機器によって可読なダウンリンク許可のうちの１つまたは複数を通して前記ヌルトーンのロケーションをシグナリングするようにさらに構成された、
Ｃ１８に記載の装置。
［Ｃ２１］
前記プロセッサは、
前記干渉検出機会中に受信された信号のエネルギーを計算することと、
前記計算されたエネルギーが雑音フロアしきい値よりも大きいとき、干渉信号が存在すると決定することとを行うようにさらに構成された、
Ｃ１５に記載の装置。
［Ｃ２２］
前記ワイヤレス信号送信の前記特性は、無認可スペクトルにおけるＬＴＥ信号２次周期性と、干渉信号２次周期性とを備える、
Ｃ１５に記載の装置。
［Ｃ２３］
前記ＬＴＥ２次周期性は、６６．７マイクロ秒であり、前記干渉信号２次周期性は、３．２マイクロ秒である、
Ｃ１５に記載の装置。
［Ｃ２４］
前記無認可スペクトルにおける送信をモニタすることは、
前記無認可スペクトルにおける１つまたは複数のキャリア周波数上で１つまたは複数の送信を受信することと、
前記受信されたキャリア周波数の各々上に変調された１つまたは複数の信号の２次周期性を決定することと
を備える、Ｃ１５に記載の装置。
［Ｃ２５］
前記干渉信号の存在を決定することは、前記受信されたキャリア周波数の各々上に変調された前記１つまたは複数の信号の前記２次周期性に基づき、前記ワイヤレス信号送信および干渉信号送信の前記伝送特性に基づく、
Ｃ２４に記載の装置。
［Ｃ２６］
前記干渉信号の存在を決定することは、前記受信されたキャリア周波数がＬＴＥ２次周期性と干渉信号２次周期性の両方を呈するかどうかを決定することを備える、
Ｃ２４に記載の装置。
［Ｃ２７］
無認可スペクトルにおけるワイヤレス信号送信のための特性を識別するための手段と、
前記特性に少なくとも部分的に基づいて、前記無認可スペクトルにおける干渉信号が検出され得る少なくとも１つの干渉検出機会を識別するための手段と、
前記干渉検出機会中に前記無認可スペクトルにおける送信をモニタするための手段と、
前記モニタすることに応答して干渉信号の存在を決定するための手段と
を備える、ワイヤレス通信のための装置。
［Ｃ２８］
前記ワイヤレス信号送信の前記特性は、無認可スペクトルにおけるＬＴＥ信号２次周期性と、干渉信号２次周期性とを備える、
Ｃ２７に記載の装置。
［Ｃ２９］
前記無認可スペクトルにおける送信をモニタするための手段は、
前記無認可スペクトルにおける１つまたは複数のキャリア周波数上で１つまたは複数の送信を受信するための手段と、
前記受信されたキャリア周波数の各々上に変調された１つまたは複数の信号の２次周期性を決定するための手段と
を備える、Ｃ２７に記載の装置。
［Ｃ３０］
無認可スペクトルにおけるワイヤレス信号送信のための特性を識別するための命令と、
前記特性に少なくとも部分的に基づいて、前記無認可スペクトルにおける干渉信号が検出され得る少なくとも１つの干渉検出機会を識別するための命令と、
前記干渉検出機会中に前記無認可スペクトルにおける送信をモニタするための命令と、
前記モニタすることに応答して干渉信号の存在を決定するための命令と
を備える、プロセッサによって実行可能な命令を記憶するコンピュータ可読媒体。
【図１】
0006636424.tif 000003
【図２】
0006636424.tif 000004
【図３】
0006636424.tif 000005
【図４】
0006636424.tif 000006
【図５】
0006636424.tif 000007
【図６】
0006636424.tif 000008
【図７Ａ】
0006636424.tif 000009
【図７Ｂ】
0006636424.tif 000010
【図８】
0006636424.tif 000011
【図９】
0006636424.tif 000012
【図１０】
0006636424.tif 000013
【図１１】
0006636424.tif 000014
【図１２】
0006636424.tif 000015
【図１３】
0006636424.tif 000016
【図１４】
0006636424.tif 000017